(57)【特許請求の範囲】
【請求項１】
スケジュールされたアップリンクワイヤレス送信を送信するための方法であって、
アップリンクスケジューリング許可について少なくとも２つのダウンリンクサブフレームを監視することと、
少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行すること、ここにおいて、前記第１のアップリンクスケジューリング許可が、前記第１のアップリンクサブフレーム中の前記アップリンク送信のためのハイブリッド確認応答再送要求（ＨＡＲＱ）プロセス識別子を示す、と
によって特徴付けられる、方法。
【請求項２】
前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクスケジューリング許可および前記第２のアップリンクスケジューリング許可のうちの直近のアップリンクスケジューリング許可を選択することを含む、請求項１に記載の方法。
【請求項３】
前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクサブフレームより少なくとも最小数のサブフレーム前のダウンリンクサブフレーム中で受信されたアップリンクスケジューリング許可を選択することを含む、請求項１に記載の方法。
【請求項４】
前記第１のアップリンクスケジューリング許可は、無線フレームのどのサブフレームがアップリンク送信のために利用可能であるかを定義するフレーム構造に基づくいくつかのサブフレームのためのものである、請求項１に記載の方法。
【請求項５】
前記アップリンク送信のための前記ＨＡＲＱプロセス識別子に基づいて第２のアップリンクサブフレーム中の第２のアップリンク送信に第２のＨＡＲＱプロセス識別子を割り当てることをさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、請求項１に記載の方法。
【請求項６】
前記第２のアップリンクスケジューリング許可がフレーム中の単一のアップリンクサブフレームのためのものである、請求項１に記載の方法。
【請求項７】
前記第１のアップリンクスケジューリング許可が前記アップリンク送信のための波形を示す、請求項１に記載の方法。
【請求項８】
前記第１のアップリンクスケジューリング許可を受信することが、第１のキャリア上で前記第１のアップリンクスケジューリング許可を受信することを備え、前記第２のアップリンクスケジューリング許可を受信することが、第２のキャリア上で前記第２のアップリンクスケジューリング許可を受信することを備える、請求項１に記載の方法。
【請求項９】
前記アップリンク送信が、前記アップリンク送信のために使用される前記第１のアップリンクスケジューリング許可および前記第２のアップリンクスケジューリング許可のうちの前記少なくとも１つの指示を含む、請求項１に記載の方法。
【請求項１０】
アップリンク送信が前記第１のアップリンクサブフレームの直前に来るサブフレーム中でスケジュールされないとき、前記アップリンク送信より前にクリアチャネルアセスメントを実行することをさらに備える、請求項１に記載の方法。
【請求項１１】
第２のアップリンクサブフレーム中の第２のアップリンク送信より前に第２のクリアチャネルアセスメントを実行すべきかどうかを決定することをさらに備え、ここにおいて、前記第１のアップリンクスケジューリング許可および前記第２のアップリンクスケジューリング許可のうちの少なくとも１つがまた、前記第２のアップリンクサブフレームのためのものであり、ここにおいて、前記第２のアップリンクサブフレームが同じフレーム内で前記第１のアップリンクサブフレームの後にある、請求項１０に記載の方法。
【請求項１２】
スケジュールされたアップリンクワイヤレス送信を送信するための装置であって、請求項１〜請求項１１のうちのいずれか一項のステップを実行するように構成される手段を備える、装置。
【請求項１３】
スケジュールされたアップリンクワイヤレス送信を送信するためのコンピュータ実行可能コードを記憶するコンピュータ可読媒体であって、請求項１〜請求項１１のうちのいずれか一項のステップを実行するように構成されるコードを備える、コンピュータ可読媒体。
【発明の詳細な説明】
【技術分野】
【０００１】
関連出願の相互参照
[0001]本特許出願は、その全体が参照により本明細書に明確に組み込まれる、２０１４年９月３０日に出願された「UPLINK GRANT MANAGEMENT FOR LTE IN UNLICENSED SPECTRUM」と題する米国仮出願第６２／０５７，９５４号、および２０１５年９月２９日に出願された「UPLINK GRANT MANAGEMENT FOR LTE IN UNLICENSED SPECTRUM」と題する米国特許出願第１４／８６９，７７９号の優先権を主張する。
【０００２】
[0002]本開示の態様は、一般に電気通信に関し、より詳細には、アップリンクスケジューリングに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ロングタームエボリューション（ＬＴＥ（登録商標））ワイヤレス通信ネットワークは、いくつかのユーザ機器（ＵＥ）のための通信をサポートすることができるいくつかのｅノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]共有スペクトルまたは無認可スペクトルのいくつかの部分におけるワイヤレスデバイスの動作は、そのスペクトルを使用する別の無線アクセス技術（ＲＡＴ）から干渉を受け得る。たとえば、ＬＴＥとＷｉ−Ｆｉ（登録商標）の両方が、無認可５ＧＨｚ帯域において動作し得る。そのような干渉を緩和する試みにおいて、いくつかのワイヤレス通信ネットワークにおいてオーバージエア干渉検出が採用される。たとえば、デバイスが、デバイスによって使用されるＲＦ帯域中のエネルギーを周期的に監視（たとえば、スニッフィング）し得る。何らかの種類のエネルギーが検出されると、デバイスは、ある時間期間の間、ＲＦ帯域をバックオフし得る。そのようなプロセスは、クリアチャネルアセスメント（ＣＣＡ：clear channel assessment）と呼ばれることがある。
【０００６】
[0006]しかしながら、実際には、少なくともフレーム構造とアップリンク許可とを使用する無線技術に適用されたとき、そのようなバックオフまたは「リッスンビフォアトーク」（ＬＢＴ：listen-before-talk）手法に関する問題があり得る。たとえば、無認可帯域または共有帯域において動作するＬＴＥシステムの場合、ＵＥは、ｅノードＢによってスケジュールされたアップリンク許可と、ＬＢＴ要件またはＣＣＡ要件の両方を考慮する必要があり得る。上記に鑑みて、共有スペクトルおよび無認可スペクトルにおけるワイヤレスデバイスの動作に関連する重大な問題および短所があり得ることが理解されよう。
【発明の概要】
【０００７】
[0007]次に、図面を参照しながら様々な態様について説明する。以下の説明では、説明のために、１つまたは複数の態様の完全な理解を与えるために多数の具体的な詳細を記載する。ただし、そのような態様は、これらの具体的な詳細なしに実施され得ることは明らかであろう。以下で、１つまたは複数の態様の基本的理解を与えるために、そのような態様の簡略化された概要を提示する。
【０００８】
[0008]アップリンク送信スケジューリングのためのシステムおよび方法が開示される。ワイヤレスデバイスは、スケジューリング許可について少なくとも２つのダウンリンクサブフレームを監視し得る。ワイヤレスデバイスは、少なくとも第１のアップリンクサブフレームのために少なくとも２つのダウンリンクサブフレームのうちの１つ中で第１のアップリンクスケジューリング許可を受信し、少なくとも第１のアップリンクサブフレームのために少なくとも２つのダウンリンクサブフレームの別の１つ中で第２のアップリンクスケジューリング許可を受信し得る。ワイヤレスデバイスは、第１のアップリンクサブフレーム中でのアップリンク送信のための第１のアップリンクスケジューリング許可および第２のアップリンクスケジューリング許可のうちの一方または両方を選択し得る。基地局は、少なくとも第１のアップリンクサブフレームのための第１のアップリンクスケジューリング許可と、少なくとも第１のアップリンクサブフレームのための第２のアップリンクスケジューリング許可とを送信し得る。基地局は、第１のアップリンクサブフレーム中で、アップリンク送信を受信し得る。基地局は、第１のアップリンクスケジューリング許可または第２のアップリンクスケジューリング許可のうちの少なくとも１つに従ってアップリンク送信を処理し得る。
【０００９】
[0009]一態様では、本開示は、スケジュールされたアップリンクワイヤレス送信を送信するための方法を提供する。本方法は、スケジューリング許可について少なくとも２つのダウンリンクサブフレームを監視することを含み得る。本方法は、少なくとも第１のアップリンクサブフレームのために少なくとも２つのダウンリンクサブフレームのうちの１つ中で第１のアップリンクスケジューリング許可を受信することと、少なくとも第１のアップリンクサブフレームのために少なくとも２つのダウンリンクサブフレームの別の１つ中で第２のアップリンクスケジューリング許可を受信することとをさらに含み得る。本方法はまた、第１のアップリンクスケジューリング許可および第２のアップリンクスケジューリング許可のうちの一方または両方に基づいて第１のアップリンクサブフレーム中でアップリンク送信を実行することを含み得る。
【００１０】
[0010]別の態様では、本開示は、スケジュールされたアップリンクワイヤレス送信を送信するための装置を提供する。本装置は、スケジューリング許可について少なくとも２つのダウンリンクサブフレームを監視するための手段を含み得る。本装置は、少なくとも第１のアップリンクサブフレームのために少なくとも２つのダウンリンクサブフレームのうちの１つ中で第１のアップリンクスケジューリング許可を受信するための手段と、少なくとも第１のアップリンクサブフレームのために少なくとも２つのダウンリンクサブフレームの１つ中で第２のアップリンクスケジューリング許可を受信するための手段とをさらに含み得る。本装置はまた、第１のアップリンクスケジューリング許可および第２のアップリンクスケジューリング許可のうちの一方または両方に基づいて第１のアップリンクサブフレーム中でアップリンク送信を実行するための手段を含み得る。
【００１１】
[0011]別の態様では、本開示は、スケジュールされたアップリンクワイヤレス送信を送信するための別の装置を提供する。本装置は、１つまたは複数のダウンリンクサブフレーム中でスケジューリング許可を受信することと、１つまたは複数のアップリンクサブフレーム中でデータを送信することとを行うように構成されたトランシーバを含み得る。本装置は、メモリと、トランシーバおよびメモリに通信可能に結合されたプロセッサとをさらに含み得る。プロセッサおよびメモリは、トランシーバを介して、スケジューリング許可について１つまたは複数のダウンリンクサブフレームのうちの少なくとも２つを監視するように構成され得る。プロセッサおよびメモリはまた、１つまたは複数のアップリンクサブフレームの少なくとも第１のアップリンクサブフレームのために少なくとも２つのダウンリンクサブフレームのうちの１つ中で第１のアップリンクスケジューリング許可を受信するように構成され得る。プロセッサおよびメモリはさらに、少なくとも第１のアップリンクサブフレームのために少なくとも２つのダウンリンクサブフレームのうちの別の１つ中で第２のアップリンクスケジューリング許可を受信するように構成され得る。プロセッサおよびメモリは、第１のアップリンクスケジューリング許可および第２のアップリンクスケジューリング許可のうちの一方または両方に基づいて第１のアップリンクサブフレーム中でアップリンク送信を実行するようにさらに構成され得る。
【００１２】
[0012]別の態様では、本開示は、スケジュールされたアップリンクワイヤレス送信を送信するためのコンピュータ実行可能コードを記憶するコンピュータ可読媒体を提供する。コンピュータ可読媒体は、スケジューリング許可について少なくとも２つのダウンリンクサブフレームを監視するためのコードを含み得る。コンピュータ可読媒体は、少なくとも第１のアップリンクサブフレームのために少なくとも２つのダウンリンクサブフレームのうちの１つ中で第１のアップリンクスケジューリング許可を受信するためのコードをさらに含み得る。コンピュータ可読媒体はまた、少なくとも第１のアップリンクサブフレームのために少なくとも２つのダウンリンクサブフレームのうちの別の１つ中で第２のアップリンクスケジューリング許可を受信するためのコードを含み得る。コンピュータ可読媒体はまた、第１のアップリンクスケジューリング許可および第２のアップリンクスケジューリング許可のうちの一方または両方に基づいて第１のアップリンクサブフレーム中でアップリンク送信を実行するためのコードを含み得る。コンピュータ可読媒体は非一時的コンピュータ可読媒体であり得る。
【００１３】
[0013]別の態様では、本開示は、アップリンクワイヤレス送信をスケジュールするための方法を提供する。本方法は、デバイスに、少なくとも第１のアップリンクサブフレームのための第１のアップリンクスケジューリング許可を送信することと、デバイスに、少なくとも第１のアップリンクサブフレームのための第２のアップリンクスケジューリング許可を送信することとを含み得る。本方法は、第１のアップリンクサブフレーム中で、デバイスからアップリンク送信を受信することをさらに含み得る。本方法はまた、第１のアップリンクスケジューリング許可および第２のアップリンクスケジューリング許可のうちの１つに従ってアップリンク送信を処理することを含み得る。
【００１４】
[0014]別の態様では、本開示は、アップリンクワイヤレス送信をスケジュールするための装置を提供する。本装置は、デバイスに、少なくとも第１のアップリンクサブフレームのための第１のアップリンクスケジューリング許可を送信するための手段と、デバイスに、少なくとも第１のアップリンクサブフレームのための第２のアップリンクスケジューリング許可を送信するための手段とを含み得る。本装置はまた、第１のアップリンクサブフレーム中で、デバイスからアップリンク送信を受信するための手段を含み得る。本装置は、第１のアップリンクスケジューリング許可および第２のアップリンクスケジューリング許可のうちの１つに従ってアップリンク送信を処理するための手段をさらに含み得る。
【００１５】
[0015]別の態様では、本開示は、アップリンクワイヤレス送信をスケジュールするための別の装置を提供する。本装置は、デバイスに、少なくとも第１のアップリンクサブフレームのための第１のアップリンクスケジューリング許可を送信することと、デバイスに、少なくとも第１のアップリンクサブフレームのための第２のアップリンクスケジューリング許可を送信することとを行うように構成された送信構成要素を含み得る。本装置はまた、第１のアップリンクサブフレーム中で、デバイスからアップリンク送信を受信するように構成された受信構成要素を含み得る。本装置は、第１のアップリンクスケジューリング許可および第２のアップリンクスケジューリング許可のうちの１つに従ってアップリンク送信を処理するように構成された復号構成要素をさらに含み得る。
【００１６】
[0016]別の態様では、本開示は、アップリンクワイヤレス送信をスケジュールするためのコンピュータ実行可能命令を記憶するコンピュータ可読媒体を提供する。コンピュータ可読媒体は、デバイスに、少なくとも第１のアップリンクサブフレームのための第１のアップリンクスケジューリング許可を送信するためのコードと、デバイスに、少なくとも第１のアップリンクサブフレームのための第２のアップリンクスケジューリング許可を送信するためのコードとを含み得る。コンピュータ可読媒体は、第１のアップリンクサブフレーム中で、デバイスからアップリンク送信を受信するためのコードをさらに含み得る。コンピュータ可読媒体はまた、第１のアップリンクスケジューリング許可および第２のアップリンクスケジューリング許可のうちの１つに従ってアップリンク送信を処理するためのコードを含み得る。コンピュータ可読媒体は非一時的コンピュータ可読媒体であり得る。
【００１７】
[0017]別の態様では、本開示は、ワイヤレス送信を実行するための方法を提供する。本方法は、フレーム構造を識別することを含み得、ここで、フレーム構造は、同じ送信方向について少なくとも２つまたはそれ以上のサブフレームを備える。本方法はまた、少なくとも２つまたはそれ以上のサブフレームのサブフレームの第１のセット中で送信する前に第１のクリアチャネルアセスメントを実行することを含み得る。本方法は、第１のクリアチャネルアセスメントに基づいてサブフレームの第１のセット中で送信することをさらに含み得る。本方法はまた、少なくとも２つまたはそれ以上のサブフレームのサブフレームの第２のセット中で送信する前に第２のクリアチャネルアセスメントを実行すべきかどうかを決定することを含み得、ここで、サブフレームの第２のセットは、フレーム中でサブフレームの第１のセットの後にある。本方法はまた、第２のチャネルアセスメントに基づいてサブフレームの第２のセット中で送信することを含み得る。さらに、本開示は、本方法を実行するための装置と、本方法を実行するための実行可能コードを記憶するコンピュータ可読媒体とを提供する。
【００１８】
[0018]本開示の様々な態様および特徴について、添付の図面において示されるように、それの様々な例を参照しながら以下でさらに詳細に説明する。本開示について様々な例を参照しながら以下で説明するが、本開示はそれに限定されないことを理解されたい。本明細書の教示へのアクセスを有する当業者は、追加の実装形態、変更形態、および例、ならびに本明細書で説明する本開示の範囲内に入り、それに関して本開示が著しく有用であり得る他の使用分野を認識されよう。
【００１９】
[0019]添付の図面は、本開示の様々な態様の説明を助けるために提示され、態様の限定ではなく、態様の例示のみのために与えられるものである。
【図面の簡単な説明】
【００２０】
【図１】[0020]通信システムのいくつかの例示的な態様の簡略ブロック図。
【図２】[0021]時分割複信のための例示的なフレーム構造を示す図。
【図３】[0022]例示的な送信スケジューリングを概念的に示すブロック図。
【図４】[0023]１つのダウンリンクサブフレームをもつフレーム構成を概念的に示すブロック図。
【図５】[0024]２つのダウンリンクサブフレームをもつフレーム構成を概念的に示すブロック図。
【図６】[0025]アップリンク送信の例示的な方法を示す流れ図。
【図７】[0026]スケジュールされたアップリンクワイヤレス送信を送信する例示的な方法を示す流れ図。
【図８】[0027]アップリンク送信スケジューリングの例示的な方法を示す流れ図。
【図９】[0028]通信ノードにおいて採用され得る構成要素のいくつかの例示的な態様の簡略ブロック図。
【図１０】[0029]通信構成要素のいくつかの例示的な態様の簡略ブロック図。
【発明を実施するための形態】
【００２１】
[0030]本開示は、いくつかの態様では、特に、無認可スペクトルにおいて、許可を使用してアップリンク送信をスケジュールすることに関する。通信システムは、スペクトル（たとえば、チャネル、キャリア、または周波数帯域）の同じ部分を介したダウンリンク送信とアップリンク送信の両方を可能にするために、時分割複信（ＴＤＤ）を使用し得る。たとえば、キャリア上の送信は、フレーム構造で編成され得る。たとえば、ＬＴＥフレーム構造が使用され得、無線フレーム、ＬＴＥフレーム、およびフレームという用語は互換的に使用され得る。一態様では、ＴＤＤフレーム構造を有するフレームは、ダウンリンクサブフレームと、アップリンクサブフレームと、スペシャルサブフレームとを含み得る。ｅノードＢは、ダウンリンクサブフレーム中にＵＥにスケジューリング許可を送信し得る。スケジューリング許可は、１つまたは複数のサブフレーム中のアップリンク送信のために使用するために、ＵＥに、リソース要素（ＲＥ）、変調およびコーディング方式（ＭＣＳ）、ならびに／または波形を割り当て得る。一態様では、無認可スペクトルにおけるＬＴＥのためのスケジューリングシステムは、変化する状態のためのフレキシビリティとシグナリングオーバーヘッドとを平衡させる必要があり得る。
【００２２】
[0031]一態様では、ｅノードＢは、１つまたは複数のアップリンクサブフレームのために後続のダウンリンクサブフレーム中に１つまたは複数の追加のスケジューリング許可を送信し得る。さらに、いくつかの態様では、第２のキャリア上で動作する２次ｅノードＢなど、第２のｅノードＢも、追加のアップリンクスケジューリング許可を与え得る。したがって、ＵＥは、同じアップリンクサブフレームのために２つまたはそれ以上のスケジューリング許可を受信し得る。一態様では、ＵＥは、アップリンクサブフレーム中のアップリンク送信のためのアップリンクスケジューリング許可のうちの１つを選択し得る。たとえば、これに限定しないが、ＵＥは、直近に受信されたアップリンクスケジューリング許可を選択し得る。ＵＥはまた、選択されたスケジューリング許可の指示をアップリンク送信中に含め得る。
【００２３】
[0032]特定の開示する態様を対象とする以下の説明および関連する図面において、本開示の態様が提供される。本開示の範囲から逸脱することなく、代替態様が考案され得る。さらに、より関連する詳細を不明瞭にしないように、本開示のよく知られている態様については詳細に説明しないことがあるか、または省略することがある。さらに、多くの態様について、たとえば、コンピューティングデバイスの要素によって実行されるべき一連のアクションに関して説明する。本明細書で説明する様々なアクションは、特定の回路（たとえば、特定用途向け集積回路（ＡＳＩＣ））によって、１つまたは複数のプロセッサによって実行されるプログラム命令によって、あるいは両方の組合せによって実行され得ることを認識されよう。さらに、本明細書で説明するこれらの一連のアクションは、実行時に、本明細書で説明する機能を実行することを関連するプロセッサに行わせるであろう、コンピュータ命令の対応するセットを記憶した任意の形態のコンピュータ可読記憶媒体内で全体として実施されるべきものと見なされ得る。したがって、本開示の様々な態様は、すべてが請求する主題の範囲内に入ることが企図されているいくつかの異なる形態で実施され得る。さらに、本明細書で説明する態様の各々について、任意のそのような態様の対応する形態について、本明細書では、たとえば、説明するアクションを実行する「ように構成された論理」として説明することがある。
【００２４】
[0033]図１に、例示的な通信システム１００（たとえば、通信ネットワークの一部分）のいくつかのノードを示す。説明のために、本開示の様々な態様について、１つまたは複数のユーザ機器（ＵＥ）１１０および発展型ノードＢ（ｅノードＢ）１６０のコンテキストにおいて説明する。ユーザ機器（ＵＥ）１１０は、ｅノードＢ１６０と通信していることがある。ｅノードＢ１６０は、ＵＥ１１０のためのアップリンク送信１５２をスケジュールし得る。たとえば、ｅノードＢ１６０は、アップリンクサブフレームにおけるアップリンク送信のために使用するために、ＵＥ１１０のための少なくともリソースと変調およびコーディング方式とを示すアップリンクスケジューリング許可１５０を送信し得る。一態様では、「許可」および「アップリンクスケジューリング許可」という用語は、アップリンクスケジューリング許可１５０を指すために互換的に使用され得る。さらに、「受信された許可」という用語は、ＵＥ１１０によって受信されたアップリンクスケジューリング許可１５０を指すために使用され得る。ただし、本明細書の教示は、他の用語を使用して参照される他のタイプの装置または他の同様の装置に適用可能であり得ることを諒解されたい。たとえば、様々な実装形態では、ｅノードＢ１６０は、アクセスポイント、基地局、ノードＢ、ホームノードＢ、ホームｅノードＢ、スモールセル、マクロセル、フェムトセルなどと呼ばれることがあるか、またはアクセスポイント、基地局、ノードＢ、ホームノードＢ、ホームｅノードＢ、スモールセル、マクロセル、フェムトセルなどとして実装されることがあり、ＵＥ１１０は、アクセス端末、移動局などと呼ばれることがあるか、またはアクセス端末、移動局などとして実装されることがある。
【００２５】
[0034]便宜上、無認可または共有無線周波数（ＲＦ）帯域における使用例のためのＬＴＥおよび／またはＬＴＥアドバンストの使用、動作、拡張、および／または適応は、本明細書では、「無認可スペクトルにおけるＬＴＥ／ＬＴＥアドバンスト」、「無認可スペクトルにおいてＬＴＥ／ＬＴＥアドバンストを適応させること」、「無認可スペクトルにＬＴＥ／ＬＴＥアドバンストを拡張すること」、および「無認可スペクトルを介するＬＴＥ／ＬＴＥアドバンスト通信」などと呼ばれることがある。その上、無認可スペクトルにおけるＬＴＥ／ＬＴＥアドバンストを与えるか、適応させるか、または拡張するネットワークまたはデバイスは、競合ベース無線周波数帯域またはスペクトルにおいて動作するように構成されたネットワークまたはデバイスを指すことがある。
【００２６】
[0035]いくつかのシステムでは、無認可スペクトルにおけるＬＴＥは、すべてのキャリアがワイヤレススペクトルの無認可部分で排他的に動作する、スタンドアロン構成で採用され得る（たとえば、ＬＴＥスタンドアロン）。他のシステムでは、無認可スペクトルにおけるＬＴＥは、ワイヤレススペクトルの認可部分で動作するアンカー認可キャリアと併せて、ワイヤレススペクトルの無認可部分で動作する１つまたは複数の無認可キャリアを与えることによって、認可帯域動作を補足する様式で採用され得る（たとえば、ＬＴＥ補足ダウンリンク（ＳＤＬ：Supplemental Down Link））。いずれの場合も、１つのキャリアが、対応するＵＥのために１次セル（ＰＣｅｌｌ）として働き（たとえば、ＬＴＥ  ＳＤＬにおけるアンカー認可キャリア、またはＬＴＥスタンドアロンにおける無認可キャリアのうちの指定されたキャリア）、残りのキャリアがそれぞれの２次セル（ＳＣｅｌｌ）として働く、異なるコンポーネントキャリアを管理するために、キャリアアグリゲーションが採用され得る。このようにして、ＰＣｅｌｌは、ＦＤＤのペアのダウンリンクおよびアップリンク（認可または無認可）またはＴＤＤのダウンリンクおよびアップリンクを与え得、各ＳＣｅｌｌは、必要に応じて、追加のダウンリンク容量を与え得る。
【００２７】
[0036]概して、ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。一態様では、ＯＦＤＭまたはＳＣ−ＦＤＭのいずれかが、サブフレームベースごとにアップリンク上で利用され得る。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２８】
[0037]ＬＴＥは、キャリアアグリゲーションをも使用し得る。ＵＥ（たとえば、ＬＴＥアドバンスト対応ＵＥ）は、送信および受信のために使用される最高合計１００ＭＨｚ（５つのコンポーネントキャリア）のキャリアアグリゲーションにおいて割り振られた、最高２０ＭＨｚ帯域幅のスペクトルを使用し得る。ＬＴＥアドバンスト対応ワイヤレス通信システムのために、２つのタイプのキャリアアグリゲーション（ＣＡ）方法、すなわち、連続ＣＡおよび非連続ＣＡが提案されている。連続ＣＡは、複数の利用可能なコンポーネントキャリアが互いに隣接するときに生じる。一方、非連続ＣＡは、複数の隣接しない利用可能なコンポーネントキャリアが周波数帯域に沿って分離されたときに生じる。非連続ＣＡと連続ＣＡの両方が、ＬＴＥアドバンストＵＥの単一ユニットにサービスするために複数のコンポーネントキャリアをアグリゲートし得る。
【００２９】
[0038]本態様によれば、ＵＥ１１０は、ＵＥ１１０によって受信されたスケジューリング許可に基づいてアップリンク送信を管理するためのアップリンクスケジューラ１２０と組み合わせて動作し得る１つまたは複数のプロセッサ１０３を含み得る。アップリンクスケジューラ１２０は、複数のスケジューリング許可に基づいてタイムスロット（たとえば、アップリンクサブフレーム）中にアップリンク送信をスケジュールするためのプロセッサ１０３によって実行可能なハードウェア、ファームウェア、および／またはソフトウェアコードを含み得、コードは、命令を備え、メモリ（たとえば、コンピュータ可読媒体）に記憶される。アップリンクスケジューラ１２０は、スケジューリング許可について少なくとも２つのダウンリンクサブフレームを監視するためのダウンリンク監視構成要素１２２と、少なくとも第１のアップリンクサブフレームのために少なくとも２つのダウンリンクサブフレーム中で少なくとも２つのアップリンクスケジューリング許可を受信するための許可受信構成要素１２４と、第１のアップリンクサブフレーム中でのアップリンク送信のためのアップリンクスケジューリング許可のうちの１つを選択するための許可選択構成要素１２６と、アップリンク送信を送信するための送信構成要素１２８とを含み得る。一態様では、本明細書で使用する「構成要素」という用語は、システムを構成する部分のうちの１つであり得、ハードウェアまたはソフトウェアであり得、他の構成要素に分割され得る。
【００３０】
[0039]受信機３２は、データを受信するための、プロセッサ（たとえば、トランシーバ１０６のプロセッサ）によって実行可能なハードウェア、ファームウェア、および／またはソフトウェアコードを含み得、コードは、命令を備え、メモリ（たとえば、コンピュータ可読媒体）に記憶される。受信機３２は、たとえば、無線周波数（ＲＦ）受信機であり得る。一態様では、受信機３２は、ｅノードＢ１６０によって送信された信号を受信し得る。受信機３２は、信号の測定値を取得し得る。たとえば、受信機３２は、Ｅｃ／Ｉｏ、ＳＮＲなどを決定し得る。
【００３１】
[0040]送信機３４は、データを送信するための、プロセッサ（たとえば、トランシーバ１０６のプロセッサ）によって実行可能なハードウェア、ファームウェア、および／またはソフトウェアコードを含み得、コードは、命令を備え、メモリ（たとえば、コンピュータ可読媒体）に記憶される。送信機３４は、たとえば、ＲＦ送信機であり得る。
【００３２】
[0041]一態様では、１つまたは複数のプロセッサ１０３は、モデム１０８を与える１つまたは複数のモデムプロセッサを含むことができる。アップリンクスケジューリングおよび送信に関係する様々な機能は、モデム１０８および／またはプロセッサ１０３中に含まれ得、一態様では、単一のプロセッサによって実行され得、他の態様では、それらの機能のうちの異なる機能は、２つまたはそれ以上の異なるプロセッサの組合せによって実行され得る。たとえば、一態様では、１つまたは複数のプロセッサ１０３は、モデムプロセッサ、またはベースバンドプロセッサ、またはデジタル信号プロセッサ、または送信プロセッサ、またはトランシーバ１０６に関連するトランシーバプロセッサのうちの任意の１つまたは任意の組合せを含み得る。特に、１つまたは複数のプロセッサ１０３は、スケジューリング許可について少なくとも２つのダウンリンクサブフレームを監視するためのダウンリンク監視構成要素１２２と、少なくとも第１のアップリンクサブフレームのための少なくとも２つのアップリンクスケジューリング許可を受信するための許可受信構成要素１２４と、第１のアップリンクサブフレーム中でのアップリンク送信のためのアップリンクスケジューリング許可のうちの１つを選択するための許可選択構成要素１２６と、アップリンク送信を送信するための送信構成要素１２８とを含む、アップリンクスケジューラ１２０中に含まれる構成要素を実装し得る。
【００３３】
[0042]ダウンリンク監視構成要素１２２は、アップリンクスケジューリング許可１５０について１つまたは複数のダウンリンクサブフレームを監視するための、プロセッサ（たとえば、（１つまたは複数の）プロセッサ１０３）によって実行可能なハードウェア、ファームウェア、および／またはソフトウェアコードを含み得、コードは、命令を備え、メモリ（たとえば、メモリ１０５または別のコンピュータ可読媒体）に記憶される。たとえば、ダウンリンク監視構成要素１２２は、アンテナ１０２、ＲＦフロントエンド１０４、および／または受信機３２を含むかまたは制御し得る。ダウンリンク監視構成要素１２２は、許可１５０を搬送し得る１つまたは複数のフレーム中のダウンリンクサブフレームのセットを監視するように構成され得る。一態様では、許可１５０を搬送し得るダウンリンクサブフレームは、フレーム構造またはアップリンクダウンリンク構成に基づいて決定され得る。一態様では、フレーム構造は、フレームの長さと、サブフレームの数と、サブフレームの長さとを含むフレームのプロパティを定義し得る。アップリンクダウンリンク構成は、フレーム中のサブフレームのうちのどれが、アップリンクサブフレーム（Ｕ）、ダウンリンクサブフレーム（Ｄ）、またはスペシャルサブフレーム（Ｓ’）として指定されるかを示し得る。たとえば、フレーム構造は、複数のダウンリンクサブフレームがフレーム中にあること、ならびにフレームの第１のダウンリンクサブフレームおよび最後のダウンリンクサブフレームが、許可１５０を搬送するために指定され得ることを示し得る。ダウンリンク監視構成要素１２２は、適切なダウンリンクサブフレームを識別するために複数のフレームを監視し得る。別の態様では、スペシャルサブフレームが、許可１５０を搬送し得る。たとえば、スペシャルサブフレームのダウンリンクパイロットタイムスロット（ＤｗＰＴＳ）部分が、許可１５０を搬送し得る。ダウンリンク監視構成要素１２２は、許可１５０を搬送するための指定されたダウンリンクサブフレーム中にアップリンクスケジューリング許可１５０を含み得る、信号を受信し得る。ダウンリンク監視構成要素１２２は、ダウンリンクトラフィックがＵＥ１１０のためにスケジュールされない場合、許可１５０を搬送するために指定されない他のサブフレーム中にパワーダウンし得る。
【００３４】
[0043]許可受信構成要素１２４は、ダウンリンクサブフレーム中でアップリンクスケジューリング許可を受信するための、プロセッサ（たとえば、（１つまたは複数の）プロセッサ１０３）によって実行可能なハードウェア、ファームウェア、および／またはソフトウェアコードを含み得、コードは、命令を備え、メモリ（たとえば、メモリ１０５または別のコンピュータ可読媒体）に記憶される。たとえば、許可受信構成要素１２４は、許可１５０を復号するために受信機３２を含むかまたは制御し得る。許可受信構成要素１２４は、許可１５０のフォーマットを決定し得る。一態様では、許可受信構成要素１２４は、フレーム構造に基づいて許可１５０のフォーマットを決定し得る。たとえば、許可受信構成要素１２４は、フレーム構造に基づいて、アップリンクスケジューリング許可１５０を搬送するリソース要素、または許可１５０の長さを決定し得る。許可受信構成要素１２４は、決定されたフォーマットに従って、受信されたアップリンクスケジューリング許可１５０を復号し得る。許可受信構成要素１２４は、アップリンクスケジューリング許可１５０から、アップリンクサブフレーム数、ＨＡＲＱプロセス識別子、変調およびコーディング方式、波形、またはアップリンクスケジューリング許可がアップリンク送信のために与える他の情報など、情報要素を抽出し得る。許可受信構成要素１２４は、単一のアップリンクサブフレームのための複数のアップリンクスケジューリング許可を受信し得る。
【００３５】
[0044]許可選択構成要素１２６は、アップリンクサブフレーム中のアップリンク送信のために使用するために、アップリンクスケジューリング許可を選択するための、プロセッサ（たとえば、（１つまたは複数の）プロセッサ１０３）によって実行可能なハードウェア、ファームウェア、および／またはソフトウェアコードを含み得、コードは、命令を備え、メモリ（たとえば、メモリ１０５または別のコンピュータ可読媒体）に記憶される。１つの許可１５０のみが受信された場合、許可選択構成要素１２６はその１つの利用可能な許可を選択し得る。複数のアップリンクスケジューリング許可が受信された場合、許可選択構成要素１２６は、構成された優先度ルールに従って１つまたは複数のアップリンクスケジューリング許可を選択し得る。たとえば、優先度ルールは、直近に受信された許可１５０が使用されるべきであることを示し得る。さらなる優先度ルールは、アップリンクスケジューリング許可１５０の受信とアップリンクサブフレームとの間の最小時間（たとえば、４つのサブフレーム）を示し得る。別の態様では、優先度ルールは、送信のための最小サイズまたは最大サイズを可能にするアップリンクスケジューリング許可１５０を選択するように許可選択構成要素１２６を構成し得る。優先度ルールの例については、図２〜図５に関する以下でさらに詳細に説明する。一態様では、許可選択構成要素１２６が、２つ以上の許可が適用可能であると決定した場合、許可選択構成要素１２６は許可１５０を組み合わせ得る。たとえば、許可選択構成要素１２６は、２つまたはそれ以上の許可から電力制御コマンドを組み合わせ得る。許可選択構成要素１２６はまた、２つまたはそれ以上の許可からリソース割振りを組み合わせ得る。たとえば、許可選択構成要素１２６は、ＵＥ１１０が、第１の許可と第２の許可の両方中で示されたリソースのすべて上で送信し得ると決定し得る。
【００３６】
[0045]送信構成要素１２８は、第１のアップリンクスケジューリング許可および第２のアップリンクスケジューリング許可のうちの一方または両方に基づいて第１のアップリンクサブフレーム中でアップリンク送信を実行するための、プロセッサ（たとえば、（１つまたは複数の）プロセッサ１０３）によって実行可能なハードウェア、ファームウェア、および／またはソフトウェアコードを含み得、コードは、命令を備え、メモリ（たとえば、メモリ１０５または別のコンピュータ可読媒体）に記憶される。たとえば、送信構成要素１２８は、アップリンク送信１５２を実行するための送信機３４を含むかまたは制御し得る。送信構成要素１２８は、アップリンク送信のために選択された第１のアップリンクスケジューリング許可および第２のアップリンクスケジューリング許可のうちの一方または両方に基づいて送信すべきデータを決定し得る。送信構成要素１２８は、データを送信するためのＲＦキャリアを変調するために、１つまたは複数の選択された許可によって割り当てられたリソースを使用し得る。一態様では、送信構成要素１２８は、アップリンク送信に関係するシグナリングを与えるように構成され得る。たとえば、送信構成要素１２８は、送信のために使用される１つまたは複数のアップリンクスケジューリング許可の指示を与え得る。たとえば、指示は、選択された許可が第１の受信された許可であるのか第２の受信された許可であるのかを示すビットフラグであり得る。別の例として、ビットマップが、各受信された許可がアップリンク送信のために使用されたかどうかを示すために使用され得る。
【００３７】
[0046]チャネルアセス構成要素（channel assessing component）１２９は、チャネルが送信のために利用可能であるかどうかを決定するように構成された、プロセッサ（たとえば、（１つまたは複数の）プロセッサ１０３）によって実行可能なハードウェア、ファームウェア、および／またはソフトウェアコードを含み得、コードは、命令を備え、メモリ（たとえば、メモリ１０５または別のコンピュータ可読媒体）に記憶される。たとえば、チャネルアセス構成要素１２９は、チャネル中の受信信号エネルギーを測定するために受信機３２を含むかまたは制御し得る。チャネルアセス構成要素１２９は、信号エネルギーがしきい値を下回るとき、チャネルまたは媒体がクリアであると決定し得る。一態様では、チャネルアセス構成要素１２９は、規制または規格に従って、チャネルが利用可能であるかどうかを決定し得る。たとえば、ＥＮ３０１．８９３は、ＬＢＴプロシージャを定義し得る。ＩＥＥＥ８０２．１１および８０２．１５規格は、クリアチャネルアセスメント（ＣＣＡ）プロシージャを定義し得る。概して、ＣＣＡプロシージャは、ＣＣＡ持続時間またはタイムスロット、たとえば２０マイクロ秒（μｓ）の間、チャネルを監視することを伴い得る。タイムスロット中にチャネルがクリアである（たとえば、通信媒体が利用可能またはアクセス可能である）場合、デバイスはチャネルを使用することまたはそれにアクセスすることを開始し得る。チャネルがクリアでない場合、デバイスはチャネルのためのランダムバックオフカウンタを決定し得る。デバイスがクリアなタイムスロットを検出するたびに、ランダムバックオフカウンタは減分される。一態様では、ＵＥ１１０は、チャネルまたは媒体がアップリンク送信のためにクリアであると決定するために、アップリンク送信より前にＣＣＡまたは拡張ＣＣＡ（ＥＣＣＡ）を実行し得る。チャネルアセス構成要素１２９は、（たとえば、スペシャルサブフレーム中に）第１のアップリンクサブフレームより前にＣＣＡプロシージャを実行し得る。ＵＥ１１０は、後続のサブフレーム中で送信し続け得る。ＵＥ１１０がサブフレーム中で送信するようにスケジュールされない場合、チャネルアセス構成要素１２９は、次のスケジュールされたアップリンクサブフレームの前に再びＣＣＡを実行し得る。
【００３８】
[0047]その上、一態様では、ＵＥ１１０は、無線送信、たとえば、ｅノードＢ１６０によって送信された許可１５０を受信および送信するためのＲＦフロントエンド１０４およびトランシーバ１０６を含み得る。たとえば、トランシーバ１０６は、ｅノードＢ１６０から、物理ダウンリンク制御チャネル（ＰＤＣＣＨ）を含む信号を受信し得る。トランシーバ１０６は、許可１５０を取得するために受信信号を復調し得、許可１５０は、次いで、受信された許可と見なされ得る。さらに、トランシーバ１０６は、アップリンク送信１５２を送信し得る。
【００３９】
[0048]ＲＦフロントエンド１０４は、１つまたは複数のアンテナ１０２に接続され得、ＲＦ信号を送信および受信するための１つまたは複数の低雑音増幅器（ＬＮＡ）１４１と、１つまたは複数のスイッチ１４２、１４３と、１つまたは複数の電力増幅器（ＰＡ）１４５と、１つまたは複数のフィルタ１４４とを含むことができる。一態様では、ＲＦフロントエンド１０４の構成要素はトランシーバ１０６と接続することができる。トランシーバ１０６は、１つまたは複数のモデム１０８とプロセッサ１０３とに接続し得る。
【００４０】
[0049]一態様では、ＬＮＡ１４１は、所望の出力レベルにおいて受信信号を増幅することができる。一態様では、各ＬＮＡ１４１は、指定された最小および最大利得値を有し得る。一態様では、ＲＦフロントエンド１０４は、特定の適用例のための所望の利得値に基づいて特定のＬＮＡ１４１およびそれの指定された利得値を選択するために、１つまたは複数のスイッチ１４２、１４３を使用し得る。
【００４１】
[0050]さらに、たとえば、１つまたは複数のＰＡ１４５は、所望の出力電力レベルにおいてＲＦ出力のための信号を増幅するために、ＲＦフロントエンド１０４によって使用され得る。一態様では、各ＰＡ１４５は、指定された最小および最大利得値を有し得る。一態様では、ＲＦフロントエンド１０４は、特定の適用例のための所望の利得値に基づいて特定のＰＡ１４５およびそれの指定された利得値を選択するために、１つまたは複数のスイッチ１４３、１４６を使用し得る。
【００４２】
[0051]また、たとえば、１つまたは複数のフィルタ１４４は、入力ＲＦ信号を取得するために、受信信号をフィルタ処理するためにＲＦフロントエンド１０４によって使用され得る。同様に、一態様では、たとえば、それぞれのフィルタ１４４は、送信のための出力信号を生成するために、それぞれのＰＡ１４５からの出力をフィルタ処理するために使用され得る。一態様では、各フィルタ１４４は、特定のＬＮＡ１４１および／またはＰＡ１４５に接続され得る。一態様では、ＲＦフロントエンド１０４は、トランシーバ１０６および／またはプロセッサ１０３によって指定される構成に基づいて、指定されたフィルタ１４４、ＬＮＡ１４１、および／またはＰＡ１４５を使用する送信または受信経路を選択するために、１つまたは複数のスイッチ１４２、１４３、１４６を使用することができる。
【００４３】
[0052]トランシーバ１０６は、ＲＦフロントエンド１０４を介してアンテナ１０２を通してワイヤレス信号を送信および受信するように構成され得る。一態様では、トランシーバは、ＵＥ１１０が、たとえば、ｅノードＢ１６０と通信することができるように、指定された周波数において動作するように同調させられ得る。一態様では、たとえば、モデム１０８は、ＵＥ１１０のＵＥ構成とモデム１０８によって使用される通信プロトコルとに基づいて、指定された周波数および電力レベルにおいて動作するようにトランシーバ１０６を構成することができる。
【００４４】
[0053]一態様では、モデム１０８は、デジタルデータがトランシーバ１０６を使用して送信および受信されるように、デジタルデータを処理し、トランシーバ１０６と通信することができる、マルチバンドマルチモードモデムであり得る。一態様では、モデム１０８はマルチバンドであり得、特定の通信プロトコルのための複数の周波数帯域をサポートするように構成され得る。一態様では、モデム１０８はマルチモードであり得、複数の動作ネットワークおよび通信プロトコルをサポートするように構成され得る。一態様では、モデム１０８は、指定されたモデム構成に基づいてネットワークからの信号の送信および／または受信を可能にするために、ＵＥ１１０の１つまたは複数の構成要素（たとえば、ＲＦフロントエンド１０４、トランシーバ１０６）を制御することができる。一態様では、モデム構成は、モデムのモードと使用中の周波数帯域とに基づき得る。別の態様では、モデム構成は、セル選択および／またはセル再選択中にネットワークによって与えられた、ＵＥ１１０に関連するＵＥ構成情報に基づき得る。
【００４５】
[0054]ＵＥ１１０は、さらに、ここで使用されるデータ、および／またはアプリケーションまたはアップリンクスケジューラ１２０のローカルバージョン、および／またはプロセッサ１０３によって実行されているそれの副構成要素のうちの１つまたは複数を記憶するためなどのメモリ１０５を含み得る。メモリ１０５は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ１０３によって使用可能な任意のタイプのコンピュータ可読媒体を含むことができる。一態様では、たとえば、ＵＥ１１０が、アップリンクスケジューラ１２０および／またはそれの副構成要素のうちの１つまたは複数を実行するようにプロセッサ１０３を動作させているとき、メモリ１０５は、アップリンクスケジューラ１２０および／またはそれの副構成要素のうちの１つまたは複数を定義する１つまたは複数のコンピュータ実行可能コード、および／またはそれに関連付けられるデータを記憶するコンピュータ可読記憶媒体であり得る。別の態様では、たとえば、メモリ１０５は非一時的コンピュータ可読記憶媒体であり得る。
【００４６】
[0055]ｅノードＢ１６０は、１つまたは複数のＵＥ１１０からのアップリンク送信をスケジュールするための、プロセッサ（たとえば、（１つまたは複数の）プロセッサ１８３）によって実行可能なハードウェア、ファームウェア、および／またはソフトウェアコードを有するスケジューラ１７０を含み得、コードは、命令を備え、メモリ（たとえば、メモリ１８５または別のコンピュータ可読媒体）に記憶される。一態様では、スケジューラ１７０は、プロセッサ１８３およびメモリ１８５によって実装され得る。スケジューラ１７０は、トランシーバ１８６およびＲＦフロントエンド１８４を介して通信し得、それらは、それぞれ、トランシーバ１０６およびＲＦフロントエンド１０４と同様であり得る。スケジューラ１７０は、各ＵＥ１１０がアップリンク中でいつ送信することを可能にされるかを決定し得る。スケジューラ１７０は、アップリンク送信１５２のために使用するためにＵＥ１１０にリソースを割り振り得る。スケジューラ１７０は、ＵＥ１１０にアップリンク送信のスケジューリングを示すためにアップリンクスケジューリング許可１５０を生成し得る。一態様では、スケジューラ１７０は、ＵＥ１１０のためにスケジュールされたアップリンク許可を更新し得る。たとえば、ｅノードＢ１６０がアップリンクサブフレームのための第１の許可１５０を送信した後、スケジューラ１７０は、更新されたチャネル品質情報、ＨＡＲＱプロセスのための復号ステータス、追加のスケジューリング情報、またはアップリンク送信に影響を及ぼし得る他の情報など、追加情報を受信し得る。スケジューラ１７０は、追加情報に基づいてスケジュールされたアップリンク送信を更新し得、同じアップリンクサブフレームのための新しいまたは後続の許可１５０を送り得る。一態様では、スケジューラ１７０は、複数のアップリンクサブフレームのためにリソースを割り振るジョイント許可と、単一のサブフレームのためにリソースを割り振る個々の許可とを生成し得る。スケジューラ１７０は、送信構成要素１７２と、受信構成要素１７４と、復号構成要素１７６とを含み得る。
【００４７】
[0056]送信構成要素１７２は、少なくとも第１のアップリンクサブフレームのための１つまたは複数のアップリンクスケジューリング許可１５０を送信するための、プロセッサによって実行可能なハードウェア、ファームウェア、および／またはソフトウェアコードを含み得、コードは、命令を備え、メモリ（たとえば、コンピュータ可読媒体）に記憶される。たとえば、送信構成要素１７２は、送信プロセッサ（たとえば、ＴＸ  ＭＩＭＯプロセッサ１１２０（図１１））および送信機（たとえば、送信機１１２２（図１１）を含み得る。送信構成要素１７２は、無線フレーム構造に基づいてアップリンクスケジューリング許可１５０をフォーマットし得る。一態様では、複数の無線フレーム構造が、フォーマットの複雑さを最小限に抑え、許可のブラインド検出を低減するために、許可のために同じフォーマットを使用し得る。たとえば、フォーマットは、無線フレーム構造における各アップリンクサブフレームのための情報要素を定義し得る。一態様では、フォーマットは、フォーマットが、最も多くのアップリンクサブフレームを有する有効な無線フレーム構造における各サブフレームについて十分に長い、ワーストケースシナリオに基づき得る。別の態様では、少数のフォーマットが、無線フレーム構造の異なるセットのために使用され得る。たとえば、１つのフォーマットが、より少数のアップリンクサブフレームのうちの３つを有する無線フレームのために使用され得、第２のフォーマットが、より多くのアップリンクサブフレームを有する無線フレームのために使用され得る。
【００４８】
[0057]受信構成要素１７４は、アップリンクサブフレーム中でＵＥ１１０からアップリンク送信を受信するための、プロセッサ（たとえば、（１つまたは複数の）プロセッサ１８３）によって実行可能なハードウェア、ファームウェア、および／またはソフトウェアコードを含み得、コードは、命令を備え、メモリ（たとえば、メモリ１８５または別のコンピュータ可読媒体）に記憶される。たとえば、受信構成要素１７４は、アンテナ（たとえば、アンテナ１８２）および受信機を含むかまたは制御し得る。一態様では、送信構成要素１７２と受信構成要素１７４は、トランシーバ（たとえば、トランシーバ１８６）、および／または受信／送信チェーン構成要素（たとえば、ＲＦフロントエンド１８４およびアンテナ１８２）を共有し得る。
【００４９】
[0058]復号構成要素１７６は、受信された送信を復号するための、プロセッサによって実行可能なハードウェア、ファームウェア、および／またはソフトウェアコードを含み得、コードは、命令を備え、メモリ（たとえば、コンピュータ可読媒体）に記憶される。たとえば、復号構成要素１７６は、受信プロセッサおよび／またはモデムを含み得る。一態様では、復号構成要素１７６は、送信されたアップリンクスケジューリング許可に基づいて、受信された送信を復号し得る。復号構成要素１７６は、アップリンク送信１５２のためにＵＥ１１０によって使用されるリソース、ＭＣＳ、波形などを決定するために、送信されたアップリンクスケジューリング許可を使用し得る。一態様では、アップリンク送信１５２は、ＵＥ１１０によって使用されたアップリンクスケジューリング許可の指示を含み得る。たとえば、１ビットフラグが、許可を示すために１つまたは複数のリソース要素中でパンクチャ（puncture）され得る。別の例として、異なる復調基準信号（ＤＭ−ＲＳ）サイクリックシフトが、アップリンク送信のために使用されるアップリンクスケジューリング許可を示し得る。一態様では、復号構成要素１７６はまた、ＵＥ１１０によって使用されたアップリンクスケジューリング許可を決定するためにブラインド検出が可能であり得る。
【００５０】
[0059]図２は、本開示の一態様による、電気通信システムにおけるフレーム構造の一例を概念的に示すブロック図である。ダウンリンクのための送信タイムラインは、無線フレーム２０２、２０４、２０６の単位に区分され得る。各無線フレーム２０２、２０４、２０６は、所定の持続時間（たとえば、１０ミリ秒（ｍｓ）、４ｍｓ、または２ｍｓ）を有し得、たとえば、０〜９のインデックスをもつ１０個のサブフレーム２１０に区分され得る。各サブフレーム２１０は、ダウンリンクサブフレーム（Ｄ）、アップリンクサブフレーム（Ｕ）、またはスペシャルサブフレーム（Ｓ）のうちの１つとして指定され得る。一態様では、インデックス０をもつ第１のサブフレーム２１２は、ダウンリンクサブフレームであり得る。たとえば、インデックス５をもつスペシャルサブフレーム２１４は、ダウンリンクサブフレームをアップリンクサブフレームから分離し得る。ダウンリンクサブフレーム、スペシャルサブフレーム、およびアップリンクサブフレームの構成は、各無線フレーム２０２、２０４、２０６を変更し得る。たとえば、図示のように、インデックス０〜４はダウンリンクサブフレームであり、インデックス５は方向の変化を示すスペシャルサブフレームであり、インデックス６〜８はアップリンクサブフレームであり、インデックス９はフレームの終了を示すスペシャルサブフレームである。別の例では、インデックス０のみがダウンリンクサブフレームであり得、インデックス１はスペシャルサブフレームであり得、インデックス３〜８はアップリンクサブフレームであり得る。ダウンリンクサブフレーム、スペシャルサブフレーム、およびアップリンクサブフレームの他の組合せがフレーム構造を定義し得ることを理解されたい。一態様では、通信システム１００が、有効なフレーム構造のセットを定義し、使用中のフレーム構造をシグナリングするために使用され得る各有効なフレーム構造についての識別子を与え得る。
【００５１】
[0060]スペシャルサブフレーム２１４は、ダウンリンクパイロット送信スロット（ＤｗＰＴＳ）と、ガード期間（ＧＰ）と、アップリンクパイロット送信スロット（ＵｐＰＴＳ）とを含み得る。ＤｗＰＴＳは、パイロット信号ならびにｅノードＢ１６０（図１）に関する他の情報を搬送し得る。ＵｐＰＴＳは、アップリンクパイロット信号、ならびに、たとえば、選択されたアップリンクスケジューリング許可など、他のシグナリング情報を搬送し得る。一態様では、チャネルアセス構成要素１２９は、スペシャルサブフレーム２１４中にアップリンクチャネルまたはキャリアが利用可能であるかどうかを決定し得る。チャネルまたはキャリアがクリアである場合、ＵＥ１１０は、連続の後続の各アップリンクサブフレーム、たとえば、インデックス６、７、および８をもつサブフレーム中で送信し得る。しかしながら、ＵＥ１１０がインデックス７などのサブフレームのためのアップリンクスケジューリング許可を有しない場合、チャネルアセス構成要素１２９は、アップリンクのないそのサブフレーム中に再びＣＣＡを実行する必要があり得る。一態様では、たとえば、別のデバイスがチャネルを使用している（たとえば、ＵＥ１１０がそのチャネル中で別のデバイスからのエネルギーを検出する）ので、ＣＣＡプロセスが完了され得ない場合、ＵＥ１１０は、スケジュールされたアップリンク送信を送信することができないことがある。
【００５２】
[0061]上記で説明したように、スケジューラ１７０は、ＵＥ１１０にアップリンクスケジューリング許可１５０を送信し得、アップリンクスケジューラ１２０は、受信された許可に基づいてアップリンク送信をスケジュールし得る。一例として、許可２２０は、インデックス０を有するサブフレーム２１２中で受信され得る。一態様では、許可２２０はまた、前の無線フレーム２０２中で受信され得る。許可２２０は、複数のサブフレーム、たとえば、インデックス６〜８をもつサブフレームに適用可能なジョイント許可であり得る。許可２２０は、開始値および終了値によって連続する適用可能なサブフレームの範囲を示し得るか、または適用可能なアップリンクサブフレームを示すためにビットマップを使用し得る。許可２２０は、ＨＡＲＱプロセス識別子、たとえば、３をさらに含み得る。許可２２０は、各サブフレーム中でアップリンク送信のために使用するためのリソース要素をさらに含み得る。一態様では、許可２２０の長さは、示されたサブフレームの数に依存し得る。一態様では、１つまたは複数の許可フォーマットが定義され得る。許可２２０のためのフォーマットは、フレーム構造におけるアップリンクサブフレームの数に基づき得る。別の態様では、許可のフォーマットは、有効なフレーム構造におけるアップリンクサブフレームの最大数を有するワーストケースシナリオを扱うために固定され得る。アップリンクスケジューラ１２０は、許可２２０中に含まれるＨＡＲＱプロセス識別子がインデックス６をもつサブフレームに適用可能であると決定し得る。アップリンクスケジューラ１２０は、たとえば、サブフレームインデックス７がＨＡＲＱプロセス４を割り当てられ、サブフレームインデックス８がＨＡＲＱプロセス５を割り当てられると決定するためにＨＡＲＱプロセス識別子を増分し得る。アップリンクスケジューラ１２０は、ＨＡＲＱプロセスの数に基づいてモジュラス演算（modulus operation）を使用し得る。
【００５３】
[0062]別の例として、ＵＥ１１０は、サブフレームインデックス３中で第２の許可２３０を受信し得る。許可２３０は、サブフレームインデックス８を示す個々の許可であり得る。許可２３０は、さらに、たとえば、ＨＡＲＱプロセス２の送信が前に失敗し、再送信される必要があるか、または、ＨＡＲＱプロセス２は、場合によってはより優先度の高いデータを含むので、ＨＡＲＱプロセス２を示し得る。許可２３０はまた、許可２２０とは異なるリソースまたは異なるＭＣＳを含み得る。アップリンクスケジューラ１２０は、許可２３０が許可２２０の後に受信され、言い換えれば、許可２３０は許可２２０よりも最近の許可であるので、アップリンクサブフレームインデックス８中での送信のために許可２３０を選択し得る。一態様では、許可２３０はまた、ジョイント許可であり得、その場合、アップリンクスケジューラ１２０は、複数のアップリンク送信のために許可２３０を選択し得る。一態様では、許可２３０は、アップリンクサブフレームインデックス８より最小数のサブフレーム（たとえば、４つのサブフレーム）前に受信され得る。許可２３０が、最小数を満たさないより早期のサブフレーム、たとえば、サブフレームインデックス６のためのものであった場合、アップリンクスケジューラ１２０は、許可２３０を無視し、および／またはより早期の許可２２０を選択し得る。
【００５４】
[0063]別の例として、ＵＥは、１つのＤＬサブフレーム中の２つまたはそれ以上のアップリンクスケジューリング許可を監視することが必要とされ得る。この場合、２つまたはそれ以上のアップリンクスケジューリング許可は、アップリンクサブフレームの異なるセットをスケジュールし得る。一例として、第１の許可はサブフレームインデックス６および７をスケジュールし得、第２の許可はサブフレームインデックス８および９をスケジュールし得る。別の例として、２つのアップリンクスケジューリング許可が、サブフレームインデックス０中で受信され得る。第１のアップリンクスケジューリング許可はサブフレームインデックス６、７および８をスケジュールし、第２のアップリンクスケジューリング許可はサブフレームインデックス９をスケジュールする。
【００５５】
[0064]図３は、送信スケジューリングの例を概念的に示すブロック図３００である。図示のように、４つの異なるＵＥ３１０、３２０、３３０、３４０は、フレーム中にスケジュールされ得る。各ＵＥは、送信のためにどのアップリンクサブフレームを使用すべきかを示す１つまたは複数のアップリンクスケジューリング許可を受信し得る。フレーム構造は、サブフレームインデックス０〜２中の３つのダウンリンクフレームと、インデックス３におけるスペシャルサブフレームと、サブフレームインデックス４〜８中の５つのアップリンクサブフレームと、インデックス９におけるスペシャルサブフレームとを含み得る。
【００５６】
[0065]ＵＥ３１０は、サブフレームインデックス４、５、７、および８中にアップリンク送信のためにスケジュールされ得る。ＵＥ３１０は、インデックス３におけるスペシャルサブフレーム中にＥＣＣＡまたはＣＣＡプロシージャを実行し得る。したがって、ＥＣＣＡまたはＣＣＡプロシージャは、サブフレームインデックス４中のアップリンク送信より前に実行され得る。ＵＥ３１０は、サブフレームインデックス４および５中でアップリンク送信を送り得る。サブフレームインデックス６において、ＵＥ３１０がアップリンク送信を送らないので、ＵＥ３１０は、チャネルがサブフレームインデックス７および８中の送信のために空いていることを保証するために、第２のＥＣＣＡまたはＣＣＡプロシージャを実行し得る。言い換えれば、サブフレームインデックス７の直前に来るサブフレームインデックス６が、アップリンク送信を含まないので、ＵＥ３１０は、サブフレームインデックス７中のアップリンク送信より前にサブフレームインデックス６中でＥＣＣＡまたはＣＣＡを実行し得る。したがって、第１のＥＣＣＡまたはＣＣＡプロシージャは、サブフレームインデックス４および５のために実行され得、第２のＥＣＣＡまたはＣＣＡプロシージャは、同じフレーム内の後続のサブフレームインデックス７および８のために実行され得る。
【００５７】
[0066]ＵＥ３２０は、サブフレームインデックス４〜８中にアップリンク送信のためにスケジュールされ得る。ＵＥ３２０は、インデックス３におけるスペシャルサブフレーム中にＥＣＣＡまたはＣＣＡプロシージャを実行し得る。ＵＥ３２０は、次いで、別のＥＣＣＡまたはＣＣＡプロシージャを実行することなしに、連続するサブフレームインデックス４〜８中で送信し得る。
【００５８】
[0067]ＵＥ３３０は、サブフレームインデックス４および５中にアップリンク送信のためにスケジュールされ得る。ＵＥ３３０は、インデックス３におけるスペシャルサブフレーム中にＥＣＣＡまたはＣＣＡプロシージャを実行し得る。ＵＥ３３０は、次いで、別のＥＣＣＡまたはＣＣＡプロシージャを実行することなしに、連続するサブフレームインデックス４および５中で送信し得る。ＵＥ３３０は、サブフレームインデックス６〜８中で送信機をパワーダウンし得る。
【００５９】
[0068]ＵＥ３４０は、サブフレームインデックス７および８中にアップリンク送信のためにスケジュールされ得る。ＵＥ３４０は、ＥＣＣＡまたはＣＣＡプロシージャを実行するためにサブフレームインデックス６まで待ち得る。ＵＥ３４０は、次いで、別のＥＣＣＡまたはＣＣＡプロシージャを実行することなしに、連続するサブフレームインデックス７および８中で送信し得る。
【００６０】
[0069]図３に示されているスケジューリングは、ｅノードＢ１６０が無線フレームによってカバーされる時間期間中に複数のＵＥをスケジュールすることを可能にし得る。ｅノードＢは、各ＵＥに異なるアップリンクサブフレームを割り当て得る。複数のＵＥが同じアップリンクサブフレーム中に送信するようにスケジュールされたとき、ｅノードＢ１６０は、各ＵＥに異なるリソース要素を割り当て得る。そのようなフレキシブル割当ては、ｅノードＢ１６０によってフレキシブルに管理され得る、異なるサブフレーム中の良好な負荷分散を与える。ＵＥの観点から、ＥＣＣＡまたはＣＣＡプロシージャは、フレームのアップリンクサブフレームの持続時間中に１回または複数回実行されなければならないことがある。
【００６１】
[0070]図４は、１つのダウンリンクサブフレームを含むフレーム構造を有するフレーム４１０を示すブロック図４００である。たとえば、図４に示されているように、フレーム４１０は、インデックス０において単一のダウンリンクサブフレームを有し得る。したがって、ＵＥ１１０は、単一のサブフレーム中でのみアップリンクスケジューリング許可を受信し得る。１つまたは複数の許可４２０が、サブフレームインデックス２〜８（および、それがまた、サブフレームの一部分を使用するアップリンクトラフィックを可能にする場合、場合によってはサブフレームインデックス９）のためのアップリンクスケジューリングを可能にするために単一のダウンリンクサブフレーム中で送信され得る。一態様では、ＵＥ１１０は、最小数のサブフレーム未満での同じフレームのアップリンクスケジューリングをサポートしないことがある。たとえば、ＵＥ１１０は、４ｍｓまたは４サブフレーム遅延を必要とし得る。したがって、最小遅延を満たさないサブフレーム（たとえば、サブフレームインデックス２および３の場合、ＵＥ１１０はアップリンク送信を送らないことがある。代替的に、ＵＥ１１０は、最小遅延を満たさないアップリンクサブフレームのために、（たとえば、前のフレームからの）前に受信された許可４３０を使用し得る。
【００６２】
[0071]図５は、２つのダウンリンクサブフレームを含むフレーム構造を有するフレーム５１０を示すブロック図５００である。たとえば、図５に示されているように、フレーム５１０は、インデックス０および１において２つのダウンリンクサブフレームを有し得る。ＵＥ１１０は、たとえば、３ｍｓの最小遅延を必要とし得る。したがって、サブフレームインデックス０において受信された第１の許可５２０が、サブフレームインデックス３〜９のためのものであり得る。第２の許可５３０が、サブフレームインデックス４〜９のためのものであり得る。一態様では、アップリンクスケジューリング許可は、インデックス９において第２のスペシャルサブフレーム中にアップリンク送信をスケジュールし得る。サブフレームインデックス４〜９は、複数の適用可能な許可を有し得る。ＵＥ１１０は、各サブフレームについて、アップリンク送信のために複数の適用可能な許可のうちのどれを使用すべきかを決定し得る。
【００６３】
[0072]図６は、スケジュールされたアップリンクワイヤレス送信を送信する例示的な方法６００を示す流れ図である。方法６００はＵＥ１１０によって実行され得る。
【００６４】
[0073]ブロック６１０において、方法６００は、スケジューリング許可について少なくとも２つのダウンリンクサブフレームを監視することを含み得る。一態様では、たとえば、ダウンリンク監視構成要素１２２は、スケジューリング許可について少なくとも２つのダウンリンクサブフレームを監視し得る。一態様では、第１のダウンリンクサブフレームは第１のフレーム中にあり得、第２のダウンリンクサブフレームはアップリンク送信のためのアップリンクタイムスロットを含む第２のフレーム中にあり得る。ダウンリンク監視構成要素１２２は、スケジューリング許可について１つまたは複数のキャリアを監視し得る。たとえば、ダウンリンク監視構成要素１２２は、第１のキャリア上で第１のｅノードＢ１６０からのスケジューリング許可を監視し、第２のキャリア上で第２のｅノードＢ（図示せず）からの許可を監視し得る。
【００６５】
[0074]ブロック６２０において、方法６００は、少なくとも第１のアップリンクサブフレームのための第１のアップリンクスケジューリング許可を受信することを含み得る。一態様では、たとえば、許可受信構成要素１２４は、少なくとも第１のアップリンクサブフレームのために少なくとも２つのダウンリンクサブフレームのうちの１つ中で第１のアップリンクスケジューリング許可を受信し得る。第１のアップリンクスケジューリング許可は、第１のアップリンクサブフレームより前のフレーム、または第１のアップリンクサブフレームと同じフレーム中にあり得る、第１のサブフレーム中で受信され得る。一態様では、第１のアップリンクスケジューリング許可は、無線フレームのどのサブフレームがアップリンク送信のために利用可能であるかを定義するフレーム構造に基づくいくつかのサブフレームのためのものであり得る。さらに、第１のアップリンクスケジューリング許可は、第１のアップリンクサブフレーム中のアップリンク送信のためのハイブリッド確認応答再送要求（ＨＡＲＱ）プロセス識別子を示し得る。許可受信構成要素１２４は、さらに、第１のアップリンク送信のためのＨＡＲＱプロセス識別子に基づいて、第１のアップリンクスケジューリング許可によって示された第２のアップリンクサブフレームのための第２のアップリンク送信に第２のＨＡＲＱプロセス識別子を割り当て得る。たとえば、許可受信構成要素１２４は、受信されたＨＡＲＱプロセス識別子を増分するか、または場合によっては次のＨＡＲＱプロセス識別子を決定し得る。一態様では、たとえば、第１のアップリンクサブフレームのためのＨＡＲＱプロセスＩＤ（たとえば、ｋ）は、許可１５０中に含まれ得る。各追加のアップリンクサブフレームのためのＨＡＲＱプロセスＩＤは、（ｋ＋ｉ）ｍｏｄ（Ｎ）であり得、ここで、Ｎは利用可能なＨＡＲＱプロセスの数であり、ｉは許可１５０に関連する各アップリンクサブフレームの増分数である。別の態様では、第１のアップリンクスケジューリング許可は、アップリンク送信のための波形を示し得る。たとえば、アップリンクスケジューリング許可は、アップリンク送信のためにＯＦＤＭが使用されるべきであるのか、ＳＣ−ＦＤＭが使用されるべきであるのかを示し得る。そのような指示は、明示的（たとえば、１ビット情報フィールド）であるか、または暗黙的であり得る。一例として、より高いＭＣＳはＯＦＤＭであると決定され得、より低いＭＣＳはＳＣ−ＦＤＭに関連する。別の例として、ランク１送信はＳＣ−ＦＤＭに関連し得、ＭＩＭＯ送信はＯＦＤＭに関連し得る。
【００６６】
[0075]ブロック６３０において、方法６００は、少なくとも第１のアップリンクサブフレームのために少なくとも２つのダウンリンクサブフレームのうちの別の１つ中で第２のアップリンクスケジューリング許可を受信することを含み得る。一態様では、たとえば、許可受信構成要素１２４はまた、少なくとも第１のアップリンクサブフレームのために第２のアップリンクスケジューリング許可を受信し得る。第２のアップリンクスケジューリング許可は、第１のアップリンクスケジューリング許可と同じサイズまたは異なるサイズのものであり得る。第２のアップリンクスケジューリング許可を監視するためのサブフレームのセットは、第１のアップリンクスケジューリング許可を監視するためのサブフレームのセットと同じまたはそれとは異なり得る。第２のアップリンクスケジューリング許可は、第１のダウンリンクサブフレームの後にあり得る、第２のダウンリンクサブフレーム中で受信され得る。第２のダウンリンクサブフレームは、第１のアップリンクサブフレームと同じフレーム中にあり得る。一態様では、第２のダウンリンクサブフレームは、第１のアップリンクサブフレームより最小数のサブフレーム前にあり得る。サブフレームの最小数は、ＵＥ１１０の処理能力に応じて、スケジューリング許可を受信および処理する時間、たとえば４、３、２、または１サブフレームに基づき得る。一態様では、第２のアップリンクスケジューリング許可は、第１のアップリンクスケジューリング許可がそれ上で受信されたキャリアとは異なるキャリア上で受信され得る。一例として、第２のアップリンクスケジューリング許可は、別の無認可キャリアまたは認可キャリアから来ることがある。
【００６７】
[0076]ブロック６４０において、方法６００は、第１のアップリンクサブフレーム中でのアップリンク送信のための第１のアップリンクスケジューリング許可および第２のアップリンクスケジューリング許可のうちの一方または両方を選択することを含み得る。一態様では、たとえば、許可選択構成要素１２６は、第１のアップリンクサブフレーム中でのアップリンク送信のための第１のアップリンクスケジューリング許可および第２のアップリンクスケジューリング許可のうちの１つを選択し得る。一態様では、第１のアップリンクスケジューリング許可および第２のアップリンクスケジューリング許可のうちの１つを選択することは、第１のアップリンクスケジューリング許可および第２のアップリンクスケジューリング許可のうちの直近のアップリンクスケジューリング許可を選択することを含み得る。別の態様では、第１のアップリンクスケジューリング許可および第２のアップリンクスケジューリング許可のうちの１つを選択することは、第１のアップリンクサブフレームより少なくとも最小数のサブフレーム前のダウンリンクサブフレーム中で受信されたアップリンクスケジューリング許可を選択することを含み得る。
【００６８】
[0077]ブロック６５０において、方法６００は、アップリンク送信が第１のアップリンクサブフレームの直前のサブフレーム中でスケジュールされないとき、アップリンク送信の前にクリアチャネルアセスメントを実行することを場合によっては含み得る。一態様では、たとえば、チャネルアセス構成要素１２９は、アップリンク送信が第１のアップリンクサブフレームの直前のサブフレーム中でスケジュールされないとき、アップリンク送信の前にクリアチャネルアセスメントを実行し得る。
【００６９】
[0078]ブロック６６０において、方法６００は、第１のアップリンクスケジューリング許可および第２のアップリンクスケジューリング許可のうちの一方または両方に基づいて第１のアップリンクサブフレーム中でアップリンク送信を実行することを含み得る。一態様では、たとえば、送信構成要素１２８は、第１のアップリンクスケジューリング許可および第２のアップリンクスケジューリング許可のうちの一方または両方に基づいて第１のアップリンクサブフレーム中でアップリンク送信を実行し得る。たとえば、送信構成要素１２８は、１つまたは複数の選択されたアップリンクスケジューリング許可に基づいて、アップリンク送信バッファ中のデータからトランスポートブロックを生成し得る。送信構成要素１２８は、選択された変調およびコーディング方式と選択された波形とに基づいてデータを符号化し得る。コード化トランスポートブロックは、次いで、ＲＦ送信機を介して送信され得る。一態様では、アップリンク送信は、選択された１つまたは複数のアップリンクスケジューリング許可の指示を含み得る。
【００７０】
[0079]図７は、スケジュールされたアップリンクワイヤレス送信を送信する例示的な方法７００を示す流れ図である。方法７００は、ＵＥ１１０またはｅノードＢ１６０によって実行され得る。
【００７１】
[0080]ブロック７１０において、方法７００は、フレーム構造を識別することを含み得、ここで、フレーム構造は、同じ送信方向について少なくとも２つまたはそれ以上のサブフレームを含む。一態様では、たとえば、アップリンクスケジューラ１２０はフレーム構造を識別し得、ここで、フレーム構造は、同じ送信方向について少なくとも２つまたはそれ以上のサブフレームを含む。送信方向は、ダウンリンクまたはアップリンクのうちの少なくとも１つであり得る。スペシャルサブフレームがダウンリンク制御および／またはデータ送信をサポートするダウンリンク部分を含んでいる場合、スペシャルサブフレームがダウンリンク送信方向のためのサブフレームと見なされ得ることに留意されたい。同様に、スペシャルサブフレームがアップリンク制御またはデータ送信をサポートするアップリンク部分を含んでいる場合、スペシャルサブフレームはアップリンク送信方向のためのサブフレームと見なされ得る。一態様では、サブフレームの第１のセットとサブフレームの第２のセットの中間に少なくとも１つのサブフレームがあり得る。たとえば、サブフレームの第１のセットは、スペシャルサブフレームによって後続される、アップリンクサブフレームのセットであり得、サブフレームの第２のセットは、アップリンクサブフレームの第２のセットであり得る。一態様では、アップリンク送信は、（たとえば、第１のアップリンクサブフレームの直前に来るサブフレームは、ダウンリンクサブフレームであるので）サブフレームの第１のセット中の第１のアップリンクサブフレームの直前に来るサブフレーム中でスケジュールされないことがある。
【００７２】
[0081]ブロック７２０において、方法７００は、少なくとも２つまたはそれ以上のサブフレームのサブフレームの第１のセット中で送信することより前に第１のクリアチャネルアセスメントを実行することを含み得る。一態様では、たとえば、チャネルアセス構成要素１２９は、少なくとも２つまたはそれ以上のサブフレームのサブフレームの第１のセット中で送信することより前に第１のクリアチャネルアセスメントを実行し得る。サブフレームの第１のセットは、たとえば、アップリンク方向において連続するサブフレームを含み得る。クリアチャネルアセスメントは、通常クリアチャネルアセスメント（ＣＣＡ）または拡張クリアチャネルアセスメント（ＥＣＣＡ）のうちの少なくとも１つであり得る。
【００７３】
[0082]ブロック７３０において、方法７００は、第１のクリアチャネルアセスメントに基づいてサブフレームの第１のセット中で送信することを含み得る。一態様では、たとえば、送信構成要素１２８は、第１のクリアチャネルアセスメントに基づいてサブフレームの第１のセット中で送信し得る。サブフレームの第１のセット中の実際の送信持続時間が、第１のクリアチャネルアセスメントに応じて、サブフレームの第１のセットの持続時間に等しいかまたはそれよりも小さいことがあることに留意されたい。一例として、第１のクリアチャネルアセスメントがサブフレームの第１のセットの最初にクリアされる場合、送信は、サブフレームの第１のセットの持続時間全体中に行われ得る。別の例として、第１のクリアチャネルアセスメントがサブフレームの第１のセットの第２のサブフレームの最初にクリアされる場合、送信は、第２のサブフレームの最初からサブフレームの第１のセットの最後のサブフレームまで行われ得る。サブフレームの第１のセット中での送信は、さらに、少なくとも１つのスケジューリング許可に基づき得る。
【００７４】
[0083]ブロック７４０において、方法７００は、少なくとも２つまたはそれ以上のサブフレームのサブフレームの第２のセット中で送信することより前に第２のクリアチャネルアセスメントを実行すべきかどうかを決定することを含み得、ここで、サブフレームの第２のセットは、フレーム中でサブフレームの第１のセットの後にある。一態様では、たとえば、チャネルアセス構成要素１２９は、少なくとも２つまたはそれ以上のサブフレームのサブフレームの第２のセット中で送信することより前に第２のクリアチャネルアセスメントを実行すべきかどうかを決定し得、ここで、サブフレームの第２のセットは、フレーム中でサブフレームの第１のセットの後にある。一態様では、第２のクリアチャネルアセスメントを実行すべきかどうかの決定はフレーム構造に基づき得る。たとえば、チャネルアセス構成要素１２９は、フレーム構造がサブフレームの第２のセットの直前に来るサブフレーム中での送信を含まないとき、第２のチャネルアセスメントを実行し得る。別の例として、チャネルアセス構成要素１２９は、サブフレームの第１のセットとサブフレームの第２のセットとの間の異なる方向のために少なくとも１つのサブフレームがあるとき、第２のチャネルアセスメントを実行し得る。別の態様では、第２のクリアチャネルアセスメントを実行すべきかどうかの決定は、少なくとも１つのアップリンクスケジューリング許可に基づく。たとえば、チャネルアセス構成要素１２９は、別のＵＥがサブフレームの第１のセットとサブフレームの第２のセットとの間で送信するようにスケジュールされるとき、第２のチャネルアセスメントを実行し得る。
【００７５】
[0084]ブロック７５０において、方法７００は、第２のチャネルアセスメントに基づいてサブフレームの第２のセット中で送信することを含み得る。一態様では、たとえば、送信構成要素１２８は、第２のチャネルアセスメントに基づいてサブフレームの第２のセット中で送信し得る。サブフレームの第２のセット中での送信は、さらに、少なくとも１つのアップリンクスケジューリング許可に基づき得る。サブフレームの第２のセットのためのアップリンクスケジューリング許可は、サブフレームの第１のセットに対応するアップリンクスケジューリング許可と同じかまたはそれとは異なり得る。
【００７６】
[0085]図８は、アップリンクワイヤレス送信をスケジュールする例示的な方法８００を示す流れ図である。方法８００は、ｅノードＢ１６０によって実行され得る。
【００７７】
[0086]ブロック８１０において、方法８００は、デバイスに、少なくとも第１のアップリンクサブフレームのための第１のアップリンクスケジューリング許可を送信することを含み得る。一態様では、たとえば、送信構成要素１７２は、少なくとも第１のアップリンクサブフレームのための第１のアップリンクスケジューリング許可を送信し得る。一態様では、デバイスはＵＥ１１０であり得る。
【００７８】
[0087]ブロック８１５において、方法８００は、更新された状態情報を受信することを場合によっては含み得る。一態様では、たとえば、受信構成要素１７４は、更新された状態情報を受信し得る。別の態様では、更新された状態情報は、別のｅノードＢまたはサービングゲートウェイなど、ネットワークノードからネットワークインターフェースを介して受信され得る。
【００７９】
[0088]ブロック８２０において、方法８００は、デバイスに、少なくとも第１のアップリンクサブフレームのための第２のアップリンクスケジューリング許可を送信することを含み得る。一態様では、たとえば、送信構成要素１７２はまた、ＵＥ１１０に、少なくとも第１のアップリンクサブフレームのための第２のアップリンクスケジューリング許可を送信し得る。一態様では、第２のアップリンクスケジューリング許可は、アップリンク送信のためのＨＡＲＱプロセス識別子を示し得る。第２のアップリンクスケジューリング許可はまた、アップリンク送信のための波形を示し得る。一態様では、第１のアップリンクスケジューリング許可は第１のフレーム中で送信され得、第２のアップリンクスケジューリング許可は第１のアップリンクサブフレームを含む第２のフレーム中で送信され得る。第２のアップリンクスケジューリング許可は、アップリンク送信より少なくとも最小数のサブフレーム前に送信され得る。
【００８０】
[0089]ブロック８３０において、方法８００は、第１のアップリンクサブフレーム中で、デバイスからアップリンク送信を受信することを含み得る。一態様では、たとえば、受信構成要素１７４は、第１のアップリンクサブフレーム中で、ＵＥ１１０であり得るデバイスからアップリンク送信を受信し得る。一態様では、アップリンク送信は、デバイスによって選択されたアップリンクスケジューリング許可の指示を含み得る。
【００８１】
[0090]ブロック８４０において、方法８００は、第１のアップリンクスケジューリング許可および第２のアップリンクスケジューリング許可のうちの１つに従ってアップリンク送信を処理することを含み得る。一態様では、たとえば、復号構成要素１７６は、第１のアップリンクスケジューリング許可および第２のアップリンクスケジューリング許可のうちの１つに従ってアップリンク送信を処理し得る。アップリンク送信がデバイスによって選択されたアップリンクスケジューリング許可の指示を含む場合、復号構成要素１７６は、選択されたアップリンクスケジューリング許可に従ってアップリンク送信を処理し得る。
【００８２】
[0091]図９に、本明細書で教示するアップリンクスケジューリング動作をサポートするための（たとえば、それぞれ、ＵＥ１１０およびｅノードＢ１６０に対応する）装置９０２および装置９０４に組み込まれ得る（対応するブロックによって表される）いくつかの例示的な構成要素を示す。装置９０２および装置９０４は、たとえば、ＵＥ１１０のアップリンク送信をスケジュールするための、それぞれ、アップリンクスケジューラ１２０およびスケジューラ１７０を含み得る。これらの構成要素は、異なる実装形態では異なるタイプの装置において（たとえば、ＡＳＩＣ、ＳｏＣなどにおいて）実装され得ることを諒解されたい。説明する構成要素は、通信システム中の他の装置にも組み込まれ得る。たとえば、システム中の他の装置は、同様の機能を与えるために説明するものと同様の構成要素を含み得る。また、所与の装置が、説明する構成要素のうちの１つまたは複数を含んでいることがある。たとえば、装置は、装置が複数のキャリア上で動作し、および／または異なる技術によって通信することを可能にする、複数のトランシーバ構成要素を含み得る。
【００８３】
[0092]装置９０２および装置９０４は各々、少なくとも１つの指定された無線アクセス技術を介して他のノードと通信するための（通信デバイス９０８および９１４（ならびに、装置９０４がリレーである場合、通信デバイス９２０）によって表される）少なくとも１つのワイヤレス通信デバイスを含む。各通信デバイス９０８は、信号（たとえば、メッセージ、指示、情報など）を送信および符号化するための（送信機９１０によって表される）少なくとも１つの送信機と、信号（たとえば、メッセージ、指示、情報、パイロットなど）を受信および復号するための（受信機９１２によって表される）少なくとも１つの受信機とを含む。同様に、各通信デバイス９１４は、信号（たとえば、メッセージ、指示、情報、パイロットなど）を送信するための（送信機９１６によって表される）少なくとも１つの送信機と、信号（たとえば、メッセージ、指示、情報など）を受信するための（受信機９１８によって表される）少なくとも１つの受信機とを含む。装置９０４がリレーアクセスポイントである場合、各通信デバイス９２０は、信号（たとえば、メッセージ、指示、情報、パイロットなど）を送信するための（送信機９２２によって表される）少なくとも１つの送信機と、信号（たとえば、メッセージ、指示、情報など）を受信するための（受信機９２４によって表される）少なくとも１つの受信機とを含み得る。
【００８４】
[0093]送信機および受信機は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では、他の方法で組み込まれ得る。いくつかの態様では、装置９０４のワイヤレス通信デバイス（たとえば、複数のワイヤレス通信デバイスのうちの１つ）はネットワークリッスンモジュールを備える。
【００８５】
[0094]装置９０２、９０４はまた、本明細書で教示するアップリンクスケジューリング動作に関連して使用され得る他の構成要素を含む。装置９０２は、たとえば、本明細書で教示するアップリンクスケジューリングをサポートするためのｅノードＢと通信することに関係する機能を与えるための、および他の処理機能を与えるための、処理システム９３２を含む。装置９０４は、たとえば、本明細書で教示するアップリンクスケジューリングに関係する機能を与えるための、および他の処理機能を与えるための、処理システム９３４を含む。装置９０２、および９０４は、情報（たとえば、予約済みリソース、しきい値、パラメータなどを示す情報）を維持するために、それぞれメモリデバイス９３８、および９４０（たとえば、各々がメモリデバイスを含む）を含む。さらに、装置９０２、９０４、および９０６は、指示（たとえば、可聴指示および／または視覚指示）をユーザに与えるための、および／または（たとえば、キーパッド、タッチスクリーン、マイクロフォンなどの感知デバイスのユーザ作動時に）ユーザ入力を受信するための、ユーザインターフェースデバイス９４４、および９４８をそれぞれ含む。
【００８６】
[0095]便宜上、装置９０２は、図９では、本明細書で説明する様々な例において使用され得る構成要素を含むものとして示されている。実際には、図示されたブロックは、異なる態様では異なる機能を有し得る。
【００８７】
[0096]図９の構成要素は様々な方法で実装され得る。いくつかの実装形態では、図９の構成要素は、たとえば、１つまたは複数のプロセッサ、および／または（１つまたは複数のプロセッサを含み得る）１つまたは複数のＡＳＩＣなど、１つまたは複数の回路において実装され得る。ここで、各回路は、この機能を与えるために回路によって使用される情報または実行可能コードを記憶するための少なくとも１つのメモリ構成要素を使用し、および／または組み込み得る。たとえば、ブロック９０８、９３２、９３８、および９４４によって表される機能の一部または全部は、装置９０２のプロセッサと（１つまたは複数の）メモリ構成要素とによって（たとえば、適切なコードの実行によっておよび／またはプロセッサ構成要素の適切な構成によって）実装され得る。同様に、ブロック９１４、９２０、９３４、９４０、および９４６によって表される機能の一部または全部は、装置９０４のプロセッサと（１つまたは複数の）メモリ構成要素とによって（たとえば、適切なコードの実行によっておよび／またはプロセッサ構成要素の適切な構成によって）実装され得る。
【００８８】
[0097]本明細書で言及するｅノードＢのうちのいくつかは、低電力ｅノードＢまたは低電力アクセスポイントを備え得る。一般的なネットワークでは、低電力アクセスポイント（たとえば、フェムトセル）は、従来のネットワークアクセスポイント（たとえば、マクロアクセスポイント）を補うために配置される。たとえば、ユーザのホームにまたは企業環境（たとえば、商業建築物）に設置された低電力アクセスポイントは、セルラー無線通信（たとえば、ＣＤＭＡ、ＷＣＤＭＡ（登録商標）、ＵＭＴＳ、ＬＴＥなど）をサポートするアクセス端末に、音声および高速データサービスを提供し得る。概して、これらの低電力アクセスポイントは、低電力アクセスポイントの近傍にあるアクセス端末に、よりロバストなカバレージおよびより高いスループットを提供する。
【００８９】
[0098]本明細書で使用する低電力アクセスポイントという用語は、カバレージエリア内の任意のマクロアクセスポイントの（たとえば、上記で定義する）送信電力よりも小さい送信電力（たとえば、最大送信電力、瞬時送信電力、公称送信電力、平均送信電力、または何らかの他の形式の送信電力のうちの１つまたは複数）を有するアクセスポイントを指す。いくつかの実装形態では、各低電力アクセスポイントは、相対的マージン（たとえば、１０ｄＢｍ以上）だけマクロアクセスポイントの（たとえば、上記で定義する）送信電力よりも小さい（たとえば、上記で定義する）送信電力を有する。いくつかの実装形態では、フェムトセルなどの低電力アクセスポイントは、２０ｄＢｍ以下の最大送信電力を有し得る。いくつかの実装形態では、ピコセルなどの低電力アクセスポイントは、２４ｄＢｍ以下の最大送信電力を有し得る。しかしながら、これらのまたは他のタイプの低電力アクセスポイントは、他の実装形態では、より高いまたはより低い最大送信電力を有し得る（たとえば、場合によっては最高１ワット、場合によっては最高１０ワットなど）ことを諒解されたい。
【００９０】
[0099]一般に、低電力アクセスポイントは、モバイル事業者のネットワークにバックホールリンクを提供するブロードバンド接続（たとえば、デジタル加入者線（ＤＳＬ）ルータ、ケーブルモデム、または何らかの他のタイプのモデム）を介してインターネットに接続する。したがって、ユーザの自宅または会社に配置された低電力アクセスポイントは、ブロードバンド接続を介して１つまたは複数のデバイスにモバイルネットワークアクセスを提供する。
【００９１】
[0100]様々なタイプの低電力アクセスポイントが、所与のシステムに採用され得る。たとえば、低電力アクセスポイントは、フェムトセル、フェムトアクセスポイント、スモールセル、フェムトノード、ホームノードＢ（ＨＮＢ）、ホームｅノードＢ（ＨｅＮＢ）、アクセスポイント基地局、ピコセル、ピコノード、またはマイクロセルとして実装されるか、またはそのように呼ばれることがある。
【００９２】
[0101]便宜上、以下の説明では、低電力アクセスポイントが単にスモールセルと呼ばれることがある。したがって、本明細書でのスモールセルに関係するいかなる説明も、一般に低電力アクセスポイントに（たとえば、フェムトセルに、マイクロセルに、ピコセルになど）等しく適用可能であり得ることを諒解されたい。
【００９３】
[0102]スモールセルは、様々なタイプのアクセスモードをサポートするように構成され得る。たとえば、オープンアクセスモードでは、スモールセルは、任意のアクセス端末がスモールセルを介して任意のタイプのサービスを取得することを可能にし得る。制限付き（またはクローズド）アクセスモードでは、スモールセルは、許可されたアクセス端末がスモールセルを介してサービスを取得することのみを可能にし得る。たとえば、スモールセルは、ある加入者グループ（たとえば、限定加入者グループ（ＣＳＧ））に属しているアクセス端末（たとえば、いわゆるホームアクセス端末）がスモールセルを介してサービスを取得することのみを可能にし得る。ハイブリッドアクセスモードでは、外来アクセス端末（たとえば、非ホームアクセス端末、非ＣＳＧアクセス端末）は、スモールセルへの制限付きアクセスが与えられ得る。たとえば、スモールセルによって現在サービスされているすべてのホームアクセス端末にとって十分なリソースが利用可能である場合のみ、スモールセルのＣＳＧに属さないマクロアクセス端末が、スモールセルにアクセスすることを可能にされ得る。
【００９４】
[0103]したがって、これらのアクセスモードのうちの１つまたは複数で動作しているスモールセルは、屋内カバレージおよび／または拡張された屋外カバレージを提供するように使用され得る。動作の所望のアクセスモードの採用を通したユーザへのアクセスを可能にすることによって、スモールセルは、カバレージエリア内で改善されたサービスを提供し、マクロネットワークのユーザのためのサービスカバレージエリアを潜在的に拡張し得る。
【００９５】
[0104]したがって、いくつかの態様では、本明細書の教示は、大規模カバレージ（たとえば、一般にマクロセルネットワークまたはＷＡＮと呼ばれる第３世代（３Ｇ）ネットワークなどの広域セルラーネットワーク）と、より小規模のカバレージ（たとえば、一般にＬＡＮと呼ばれる住居ベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ得、他のロケーションでは、より小規模のカバレージを与えるアクセスポイントによってサービスされ得る。いくつかの態様では、（たとえば、よりロバストなユーザエクスペリエンスのために）漸進的キャパシティ増大と、屋内カバレージと、様々なサービスとを与えるために、より小さいカバレージノードが使用され得る。
【００９６】
[0105]本明細書の説明では、比較的大きいエリアにわたるカバレージを与えるノード（たとえば、アクセスポイント）はマクロアクセスポイントと呼ばれることがあり、比較的小さいエリア（たとえば、住居）にわたるカバレージを与えるノードはスモールセルと呼ばれることがある。本明細書の教示は、他のタイプのカバレージエリアに関連するノードに適用可能であり得ることを諒解されたい。たとえば、ピコアクセスポイントは、マクロエリアよりも小さく、フェムトセルエリアよりも大きいエリアにわたるカバレージ（たとえば、商業建築物内のカバレージ）を与え得る。様々な適用例では、マクロアクセスポイント、スモールセル、または他のアクセスポイントタイプのノードを指すために他の用語が使用され得る。たとえば、マクロアクセスポイントは、アクセスノード、基地局、アクセスポイント、ｅノードＢ、マクロセルなどとして構成されるか、またはそのように呼ばれることがある。いくつかの実装形態では、ノードを１つまたは複数のセルまたはセクタに関連付けられ得る（たとえば、そのように呼ばれるか、または分割される）。マクロアクセスポイント、フェムトアクセスポイント、またはピコアクセスポイントに関連付けられたセルまたはセクタは、それぞれ、マクロセル、フェムトセル、またはピコセルと呼ばれることがある。
【００９７】
[0106]本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【００９８】
[0107]ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ただし、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【００９９】
[0108]ＭＩＭＯシステムは時分割複信（ＴＤＤ）と周波数分割複信（ＦＤＤ）とをサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【０１００】
[0109]図１０は、本明細書で説明するように適合され得る例示的な通信システム１０００のワイヤレスデバイス１０１０（たとえば、ｅノードＢ１６０）およびワイヤレスデバイス１０５０（たとえば、ＵＥ１１０）の構成要素をより詳細に示す。たとえば、ワイヤレスデバイス１０１０はスケジューラ１７０を含み得、ワイヤレスデバイス１０５０はアップリンク送信をスケジュールするためのアップリンクスケジューラ１２０を含み得る。スケジューラ１７０は、別個の構成要素であり得るか、またはワイヤレスデバイス１０１０のＴＸデータプロセッサ１０１４およびＴＸ  ＭＩＭＯプロセッサ１０２０などの構成要素によって実装され得る。アップリンクスケジューラ１２０は、ワイヤレスデバイス１０５０のＴＸデータプロセッサ１０３８によって実装され得る。デバイス１０１０において、いくつかのデータストリームのトラフィックデータが、データソース１０１２から送信（ＴＸ）データプロセッサ１０１４に与えられる。各データストリームは、次いで、それぞれの送信アンテナを介して送信され得る。スケジューラ１７０（図１）は、ＴＸデータプロセッサ１０１４によって実装され得る。
【０１０１】
[0110]ＴＸデータプロセッサ１０１４は、コード化データを与えるために、各データストリームのトラフィックデータを、そのデータストリームのために選択された特定のコーディング方式に基づいてフォーマットし、コーディングし、インターリーブする。一態様では、トラフィックデータは、ワイヤレスデバイス１０５０のためのアップリンクスケジューリング許可を含み得る。各データストリームのためのコード化データは、ＯＦＤＭ技法を使用してパイロットデータと多重化され得る。パイロットデータは、一般に、知られている方法で処理される知られているデータパターンであり、チャネル応答を推定するために受信機システムにおいて使用され得る。各データストリームの多重化されたパイロットデータおよびコード化データは、次いで、変調シンボルを与えるために、そのデータストリームのために選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１０３０によって実行される命令によって決定され得る。データメモリ１０３２は、プロセッサ１０３０またはデバイス１０１０の他の構成要素によって使用されるプログラムコード、データ、および他の情報を記憶し得る。
【０１０２】
[0111]次いで、すべてのデータストリームの変調シンボルがＴＸ  ＭＩＭＯプロセッサ１０２０に与えられ、ＴＸ  ＭＩＭＯプロセッサ１０２０はさらに（たとえば、ＯＦＤＭ用に）その変調シンボルを処理し得る。ＴＸ  ＭＩＭＯプロセッサ１０２０は、次いで、ＮＴ個の変調シンボルストリームをＮＴ個のトランシーバ（ＸＣＶＲ）１０２２Ａ〜１０２２Ｔに与える。いくつかの態様では、ＴＸ  ＭＩＭＯプロセッサ１０２０は、データストリームのシンボルと、シンボルがそこから送信されているアンテナとにビームフォーミング重みを適用する。
【０１０３】
[0112]各トランシーバ１０２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、トランシーバ１０２２Ａ〜１０２２ＴからのＮＴ個の被変調信号は、それぞれＮＴ個のアンテナ１０２４Ａ〜１０２４Ｔから送信される。
【０１０４】
[0113]ワイヤレスデバイス１０５０において、送信された被変調信号はＮＲアンテナ１０５２Ａ〜１０５２Ｒによって受信され、各アンテナ１０５２からの受信信号は、それぞれのトランシーバ（ＸＣＶＲ）１０５４Ａ〜１０５４Ｒに与えられる。各トランシーバ１０５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１０５】
[0114]受信（ＲＸ）データプロセッサ１０６０が、次いで、ＮＲ個のトランシーバ１０５４からＮＲ個の受信シンボルストリームを受信し、ＮＴ個の「検出」シンボルストリームを与えるために特定の受信機処理技法に基づいて処理する。ＲＸデータプロセッサ１０６０は、次いで、データストリームのトラフィックデータを復元するために、各検出シンボルストリームを復調し、デインターリーブし、復号する。一態様では、トラフィックデータは、アップリンクスケジューリング許可１５０（図１）を含み得る。ＲＸデータプロセッサ１０６０による処理は、デバイス１０１０におけるＴＸ  ＭＩＭＯプロセッサ１０２０およびＴＸデータプロセッサ１０１４によって実行される処理と相補的なものである。
【０１０６】
[0115]アップリンクスケジューラ１２０は、各サブフレームについて、受信されたアップリンクスケジューリング許可１５０が、送信と、送信のために使用すべき変調およびコーディング方式ならびに波形とを可能にするかどうかを決定し得る。プロセッサ１０７０は、どのプリコーディング行列を使用すべきかを周期的に決定する。プロセッサ１０７０は、行列インデックス部分とランク値部分とを備える逆方向リンクメッセージを作成する。データメモリ１０７２は、プロセッサ１０７０または第２のワイヤレスデバイス１０５０の他の構成要素によって使用されるプログラムコードと、データと、他の情報とを記憶し得る。
【０１０７】
[0116]逆方向リンクメッセージは、通信リンクおよび／または受信データストリームに関する様々なタイプの情報を備え得る。逆方向リンクメッセージは、次いで、データソース１０３６からのいくつかのデータストリームのトラフィックデータをも受信するＴＸデータプロセッサ１０３８によって処理され、変調器１０８０によって変調され、アップリンクスケジューリング許可１５０に基づいてトランシーバ１０５４Ａ〜１０５４Ｒによって調整され、デバイス１０１０に戻される。
【０１０８】
[0117]デバイス１０１０において、ワイヤレスデバイス１０５０からの被変調信号は、アンテナ１０２４によって受信され、トランシーバ１０２２によって調整され、復調器（ＤＥＭＯＤ）１０４０によって復調され、ＲＸデータプロセッサ１０４２によって処理されて、ワイヤレスデバイス１０５０によって送信された逆方向リンクメッセージが抽出される。プロセッサ１０３０は、次いで、ビームフォーミング重みを決定するためにどのプリコーディング行列を使用すべきかを決定し、次いで、抽出されたメッセージを処理する。
【０１０９】
[0118]各ワイヤレスデバイス１０１０および１０５０について、説明する構成要素のうちの２つ以上の機能が単一の構成要素によって与えられ得ることを諒解されよう。また、図１０に示し、上記で説明した様々な通信構成要素は、本明細書で教示する通信適応を実行するように適宜にさらに構成され得ることを諒解されよう。たとえば、プロセッサ１０３０／１０７０は、本明細書で教示する通信適応を実行するために、メモリ１０３２／１０７２、および／またはそれぞれのデバイス１０１０／１０５０の他の構成要素と協働し得る。いくつかの態様では、装置または装置の構成要素は、本明細書で教示する機能を与えるように構成され得る（またはそのように動作可能であるかまたは適応され得る）。これは、たとえば、その機能を与えるように装置または構成要素を製造する（たとえば、作製する）ことによって、その機能を与えるように装置もしくは構成要素をプログラムすることによって、または何らかの他の好適な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０１１０】
[0119]本明細書における「第１」、「第２」などの名称を使用した要素への言及は、それらの要素の数量または順序を概括的に限定するものでないことを理解されたい。むしろ、これらの名称は、本明細書において２つまたはそれ以上の要素またはある要素の複数の事例を区別する便利な方法として使用され得る。したがって、第１の要素および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０１１１】
[0120]情報および信号は、多種多様な技術および技法のいずれかを使用して表され得ることを、当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１２】
[0121]さらに、本明細書で開示する態様に関連して説明する様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【０１１３】
[0122]本明細書で開示する態様に関して説明する方法、シーケンスおよび／またはアルゴリズムは、ハードウェアで直接実装されるか、プロセッサによって実行されるソフトウェアモジュールで実装されるか、またはそれらの２つの組合せで実装され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および記憶媒体に情報を書き込むことができるように、プロセッサに結合される。代替として、記憶媒体はプロセッサに一体化され得る。
【０１１４】
[0123]したがって、本開示の態様は、無認可スペクトルにおける送信に対する動的な帯域幅管理のための方法を具現化するコンピュータ可読媒体を含むことができる。したがって、本開示は図示の例に限定されない。
【０１１５】
[0124]上記の開示は、例示的な態様を示すが、様々な変更および修正が、添付の特許請求の範囲によって定義される本開示の範囲から逸脱することなく本明細書において作成可能であることに留意されたい。本明細書で説明した本開示の態様による方法クレームの機能、ステップおよび／またはアクションは、特定の順序で実行されなくてもよい。さらに、いくつかの態様は、単数形で説明または請求されていることがあるが、単数形に限定することが明示的に述べられていない限り、複数形が企図される。
以下に本願の出願当初の特許請求の範囲に記載された発明を付記する。
[Ｃ１]  スケジュールされたアップリンクワイヤレス送信を送信するための方法であって、前記方法が、
アップリンクスケジューリング許可について少なくとも２つのダウンリンクサブフレームを監視することと、
少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行することと
を備える、方法。
[Ｃ２]  前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクスケジューリング許可および前記第２のアップリンクスケジューリング許可のうちの直近のアップリンクスケジューリング許可を選択することを含む、Ｃ１に記載の方法。
[Ｃ３]  前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクサブフレームより少なくとも最小数のサブフレーム前のダウンリンクサブフレーム中で受信されたアップリンクスケジューリング許可を選択することを含む、Ｃ１に記載の方法。
[Ｃ４]  前記第１のアップリンクスケジューリング許可は、無線フレームのどのサブフレームがアップリンク送信のために利用可能であるかを定義するフレーム構造に基づくいくつかのサブフレームのためのものである、Ｃ１に記載の方法。
[Ｃ５]  前記第１のアップリンクスケジューリング許可が、前記第１のアップリンクサブフレーム中の前記アップリンク送信のためのハイブリッド確認応答再送要求（ＨＡＲＱ）プロセス識別子を示す、Ｃ１に記載の方法。
[Ｃ６]  前記アップリンク送信のための前記ＨＡＲＱプロセス識別子に基づいて第２のアップリンクサブフレーム中の第２のアップリンク送信に第２のＨＡＲＱプロセス識別子を割り当てることをさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ５に記載の方法。
[Ｃ７]  前記第２のアップリンクスケジューリング許可がフレーム中の単一のアップリンクサブフレームのためのものである、Ｃ１に記載の方法。
[Ｃ８]  前記第１のアップリンクスケジューリング許可が前記アップリンク送信のための波形を示す、Ｃ１に記載の方法。
[Ｃ９]  前記第１のアップリンクスケジューリング許可を受信することが、第１のキャリア上で前記第１のアップリンクスケジューリング許可を受信することを備え、前記第２のアップリンクスケジューリング許可を受信することが、第２のキャリア上で前記第２のアップリンクスケジューリング許可を受信することを備える、Ｃ１に記載の方法。
[Ｃ１０]  前記第１のアップリンクスケジューリング許可を受信することが、第１のフレーム中で前記第１のアップリンクスケジューリング許可を受信することを備え、前記第２のアップリンクスケジューリング許可を受信することが、前記第１のアップリンクサブフレームを含む後続の第２のフレーム中で前記第２のアップリンクスケジューリング許可を受信することを備える、Ｃ１に記載の方法。
[Ｃ１１]  前記アップリンク送信が、前記アップリンク送信のために使用される前記第１のアップリンクスケジューリング許可および前記第２のアップリンクスケジューリング許可のうちの前記少なくとも１つの指示を含む、Ｃ１に記載の方法。
[Ｃ１２]  アップリンク送信が前記第１のアップリンクサブフレームの直前に来るサブフレーム中でスケジュールされないとき、前記アップリンク送信より前にクリアチャネルアセスメントを実行することをさらに備える、Ｃ１に記載の方法。
[Ｃ１３]  第２のアップリンクサブフレーム中の第２のアップリンク送信より前に第２のクリアチャネルアセスメントを実行すべきかどうかを決定することをさらに備え、ここにおいて、前記第１のアップリンクスケジューリング許可および前記第２のアップリンクスケジューリング許可のうちの少なくとも１つがまた、前記第２のアップリンクサブフレームのためのものであり、ここにおいて、前記第２のアップリンクサブフレームが同じフレーム内で前記第１のアップリンクサブフレームの後にある、Ｃ１２に記載の方法。
[Ｃ１４]  スケジュールされたアップリンクワイヤレス送信を送信するための装置であって、前記装置が、
スケジューリング許可について少なくとも２つのダウンリンクサブフレームを監視するための手段と、
少なくとも第１のアップリンクサブフレームのために前記少なくとも２つのダウンリンクサブフレームのうちの１つ中で第１のアップリンクスケジューリング許可を受信するための手段と、
少なくとも前記第１のアップリンクサブフレームのために前記少なくとも２つのダウンリンクサブフレームのうちの別の１つ中で第２のアップリンクスケジューリング許可を受信するための手段と、
前記第１のアップリンクスケジューリング許可および前記第２のアップリンクスケジューリング許可のうちの一方または両方に基づいて前記第１のアップリンクサブフレーム中でアップリンク送信を実行するための手段と
を備える、装置。
[Ｃ１５]  前記アップリンク送信のための前記第１のアップリンクスケジューリング許可および前記第２のアップリンクスケジューリング許可のうちの直近のアップリンクスケジューリング許可を選択するための手段をさらに備える、Ｃ１４に記載の装置。
[Ｃ１６]  前記アップリンク送信のための前記第１のアップリンクサブフレームより少なくとも最小数のサブフレーム前のダウンリンクサブフレーム中で受信されたアップリンクスケジューリング許可を選択するための手段をさらに備える、Ｃ１４に記載の装置。
[Ｃ１７]  前記第１のアップリンクスケジューリング許可が、前記アップリンク送信のためのハイブリッド確認応答再送要求（ＨＡＲＱ）プロセス識別子を示す、Ｃ１４に記載の装置。
[Ｃ１８]  前記アップリンク送信のための前記ＨＡＲＱプロセス識別子に基づいて第２のアップリンクサブフレームのための第２のアップリンク送信に第２のＨＡＲＱプロセス識別子を割り当てるための手段をさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ１７に記載の装置。
[Ｃ１９]  受信するための前記手段が、第１のキャリア上で前記第１のアップリンクスケジューリング許可を受信することと、第２のキャリア上で前記第２のアップリンクスケジューリング許可を受信することとを行うように構成された、Ｃ１４に記載の装置。
[Ｃ２０]  アップリンク送信が前記第１のアップリンクサブフレームの直前のサブフレーム中でスケジュールされないとき、前記アップリンク送信の前にクリアチャネルアセスメントを実行するための手段をさらに備える、Ｃ１４に記載の装置。
[Ｃ２１]  スケジュールされたアップリンクワイヤレス送信を送信するための装置であって、前記装置が、
１つまたは複数のダウンリンクサブフレーム中でスケジューリング許可を受信することと、１つまたは複数のアップリンクサブフレーム中でデータを送信することとを行うように構成されたトランシーバと、
メモリと、
前記トランシーバおよび前記メモリに通信可能に結合されたプロセッサと
を備え、前記プロセッサおよび前記メモリが、
前記トランシーバを介して、前記スケジューリング許可について前記１つまたは複数のダウンリンクサブフレームのうちの少なくとも２つを監視することと、
前記１つまたは複数のアップリンクサブフレームの少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行することと
を行うように構成された、装置。
[Ｃ２２]  前記プロセッサおよびメモリが、前記アップリンク送信のための前記第１のアップリンクスケジューリング許可および前記第２のアップリンクスケジューリング許可のうちの直近のアップリンクスケジューリング許可を選択するように構成された、Ｃ２１に記載の装置。
[Ｃ２３]  前記プロセッサおよびメモリが、前記アップリンク送信のための前記第１のアップリンクサブフレームより少なくとも最小数のサブフレーム前のダウンリンクサブフレーム中で受信されたアップリンクスケジューリング許可を選択するように構成された、Ｃ２１に記載の装置。
[Ｃ２４]  前記第１のアップリンクスケジューリング許可が、前記アップリンク送信のためのハイブリッド確認応答再送要求（ＨＡＲＱ）プロセス識別子を示す、Ｃ２１に記載の装置。
[Ｃ２５]  前記プロセッサおよびメモリが、前記アップリンク送信のための前記ＨＡＲＱプロセス識別子に基づいて第２のアップリンクサブフレームのための第２のアップリンク送信に第２のＨＡＲＱプロセス識別子を割り当てるように構成され、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ２４に記載の装置。
[Ｃ２６]  前記プロセッサおよびメモリは、アップリンク送信が前記第１のアップリンクサブフレームの直前のサブフレーム中でスケジュールされないとき、前記アップリンク送信の前にクリアチャネルアセスメントを実行するように構成された、Ｃ２１に記載の装置。
[Ｃ２７]  スケジュールされたアップリンクワイヤレス送信を送信するためのコンピュータ実行可能コードを記憶するコンピュータ可読媒体であって、
スケジューリング許可について少なくとも２つのダウンリンクサブフレームを監視するためのコードと、
少なくとも第１のアップリンクサブフレームのために前記少なくとも２つのダウンリンクサブフレームのうちの１つ中で第１のアップリンクスケジューリング許可を受信するためのコードと、
少なくとも前記第１のアップリンクサブフレームのために前記少なくとも２つのダウンリンクサブフレームのうちの別の１つ中で第２のアップリンクスケジューリング許可を受信するためのコードと、
前記第１のアップリンクスケジューリング許可および前記第２のアップリンクスケジューリング許可のうちの一方または両方に基づいて前記第１のアップリンクサブフレーム中でアップリンク送信を実行するためのコードと
を備える、コンピュータ可読媒体。
[Ｃ２８]  前記アップリンク送信のための前記第１のアップリンクスケジューリング許可および前記第２のアップリンクスケジューリング許可のうちの直近のアップリンクスケジューリング許可を選択するためのコードをさらに備える、Ｃ２７に記載のコンピュータ可読媒体。
[Ｃ２９]  前記アップリンク送信のための前記第１のアップリンクサブフレームより少なくとも最小数のサブフレーム前のダウンリンクサブフレーム中で受信されたアップリンクスケジューリング許可を選択するためのコードをさらに備える、Ｃ２７に記載のコンピュータ可読媒体。
[Ｃ３０]  アップリンク送信が前記第１のアップリンクサブフレームの直前のサブフレーム中でスケジュールされないとき、前記アップリンク送信の前にクリアチャネルアセスメントを実行するためのコードをさらに備える、Ｃ２７に記載のコンピュータ可読媒体。
【図１】
0006702954.tif 000002
【図２】
0006702954.tif 000003
【図３】
0006702954.tif 000004
【図４】
0006702954.tif 000005
【図５】
0006702954.tif 000006
【図６】
0006702954.tif 000007
【図７】
0006702954.tif 000008
【図８】
0006702954.tif 000009
【図９】
0006702954.tif 000010
【図１０】
0006702954.tif 000011